(57)【要約】  本発明の実施例は、ビデオデータ送信方法及び装置並びに通信装置を提供し、端末の分野に属する。本方法は、第２通信装置が第１通信装置によって送信されたビデオ通話リクエストを受信し、第１通信装置のメディア能力情報が第２通信装置のメディア能力情報に一致するか判断し、第２通信装置のメディア能力情報が第１通信装置のメディア能力情報に一致せず、第２通信装置のメディア能力情報と第１通信装置のメディア能力情報とが同じオーディオ通話周波数を有するとき、セッション記述プロトコル（ＳＤＰ）応答メッセージを構成し、第１通信装置と第２通信装置とがビデオデータを送信するように、ＳＤＰ応答メッセージを第１通信装置に送信することを含む。本発明では、第１通信装置と第２通信装置との間でビデオデータが送信できるように、ＳＤＰ応答メッセージが構成される。
2015534309.tif 000002
【特許請求の範囲】
【請求項１】
ビデオデータ送信方法であって、
第２通信装置が、第１通信装置によって送信されたビデオ通話リクエストを受信するステップであって、前記ビデオ通話リクエストは前記第１通信装置のメディア能力情報を含む、受信するステップと、
前記第２通信装置のメディア能力情報が前記第１通信装置のメディア能力情報に一致するか判断するステップと、
前記第２通信装置のメディア能力情報が前記第１通信装置のメディア能力情報に一致せず、前記第２通信装置のメディア能力情報と前記第１通信装置のメディア能力情報とが同じオーディオ通話周波数を有するとき、セッション記述プロトコル（ＳＤＰ）応答メッセージを構成するステップであって、前記ＳＤＰ応答メッセージのビデオサポートフィールドのコンテンツはエンプティであり、前記ＳＤＰ応答メッセージのオーディオサポートフィールドは前記同じオーディオ通話周波数である、構成するステップと、
前記第１通信装置と前記第２通信装置とがビデオデータを送信するように、前記ＳＤＰ応答メッセージを前記第１通信装置に送信するステップと、
を有する方法。
【請求項２】
前記第２通信装置のメディア能力情報が前記第１通信装置のメディア能力情報に一致せず、前記第２通信装置のメディア能力情報と前記第１通信装置のメディア能力情報とが同じオーディオ通話周波数を有するとき、セッション記述プロトコル（ＳＤＰ）応答メッセージを構成するステップであって、前記ＳＤＰ応答メッセージのビデオサポートフィールドのコンテンツはエンプティであり、前記ＳＤＰ応答メッセージのオーディオサポートフィールドは前記同じオーディオ通話周波数である、構成するステップは、具体的には、
前記第２通信装置のメディア能力情報と前記第１通信装置のメディア能力情報とが同じオーディオ通話周波数を有し、前記第２通信装置のメディア能力情報と前記第１通信装置のメディア能力情報とが同じビデオ通話周波数を有さないとき、前記ＳＤＰ応答メッセージを構成するステップであって、前記ＳＤＰ応答メッセージのオーディオサポートフィールドは前記同じオーディオ通話周波数であり、前記ビデオサポートフィールドはリザーブされ、前記ビデオサポートフィールドのコンテンツはエンプティである、構成するステップと、
前記第２通信装置のメディア能力情報と前記第１通信装置のメディア能力情報とが同じオーディオ通話周波数を有し、前記第２通信装置のメディア能力情報と前記第１通信装置のメディア能力情報との何れもビデオ通話周波数を有さないとき、前記ＳＤＰ応答メッセージを構成するステップであって、前記ＳＤＰ応答メッセージのオーディオサポートフィールドは前記同じオーディオ通話周波数であり、前記ビデオサポートフィールドはリザーブされ、前記ビデオサポートフィールドのコンテンツはエンプティである、構成するステップと、
を有する、請求項１記載の方法。
【請求項３】
前記第２通信装置のメディア能力情報が前記第１通信装置のメディア能力情報に一致するか判断するステップは、
前記第１通信装置のメディア能力情報がビデオ通話周波数を有するか判断するステップであって、前記第１通信装置のメディア能力情報がビデオ通話周波数を有さない場合、前記第２通信装置のメディア能力情報は前記第１通信装置のメディア能力情報に一致しない、判断するステップと、
前記第１通信装置のメディア能力情報がビデオ通話周波数を有する場合、前記第２通信装置のメディア能力情報がビデオ通話周波数を有するか判断するステップであって、前記第２通信装置のメディア能力情報がビデオ通話周波数を有さない場合、前記第２通信装置のメディア能力情報は前記第１通信装置のメディア能力情報に一致しない、判断するステップと、
を有する、請求項１記載の方法。
【請求項４】
前記第１通信装置のメディア能力情報がビデオ通話周波数を有する場合、前記第２通信装置のメディア能力情報がビデオ通話周波数を有するか判断するステップの後、
当該方法は更に、
前記第２通信装置のメディア能力情報がビデオ通話周波数を有する場合、前記第２通信装置のメディア能力情報と前記第１通信装置のメディア能力情報とが同じオーディオ通話周波数を有するか、及び前記第２通信装置のメディア能力情報と前記第１通信装置のメディア能力情報とが同じビデオ通話周波数を有するか判断するステップを有し、
前記第２通信装置のメディア能力情報と前記第１通信装置のメディア能力情報とが同じオーディオ通話周波数を有し、前記第２通信装置のメディア能力情報と前記第１通信装置のメディア能力情報とが同じビデオ通話周波数を有する場合、前記第２通信装置のメディア能力情報は前記第１通信装置のメディア能力情報に一致し、
前記第２通信装置のメディア能力情報と前記第１通信装置のメディア能力情報とが同じオーディオ通話周波数を有し、前記第２通信装置のメディア能力情報と前記第１通信装置のメディア能力情報とが同じビデオ通話周波数を有さない場合、前記第２通信装置のメディア能力情報は前記第１通信装置のメディア能力情報に一致しない、請求項３記載の方法。
【請求項５】
第１通信装置によって送信されたビデオ通話リクエストを受信するよう構成される受信モジュールであって、前記ビデオ通話リクエストは前記第１通信装置のメディア能力情報を伝送する、受信モジュールと、
ローカル通信装置のメディア能力情報が前記第１通信装置のメディア能力情報に一致するか判断するよう構成される判定モジュールと、
前記ローカル通信装置のメディア能力情報が前記第１通信装置のメディア能力情報に一致せず、前記ローカル通信装置のメディア能力情報と前記第１通信装置のメディア能力情報とが同じオーディオ通話周波数を有するとき、セッション記述プロトコル（ＳＤＰ）応答メッセージを構成するよう構成される構成モジュールであって、前記ＳＤＰ応答メッセージのビデオサポートフィールドのコンテンツはエンプティであり、前記ＳＤＰ応答メッセージのオーディオサポートフィールドは前記同じオーディオ通話周波数である、構成モジュールと、
前記第１通信装置と前記ローカル通信装置とがビデオデータを送信するように、前記ＳＤＰ応答メッセージを前記第１通信装置に送信するよう構成される送信モジュールと、
を有するビデオデータ送信装置。
【請求項６】
前記構成モジュールは、具体的には、前記ローカル通信装置のメディア能力情報と前記第１通信装置のメディア能力情報とが同じオーディオ通話周波数を有し、前記ローカル通信装置のメディア能力情報と前記第１通信装置のメディア能力情報とが同じビデオ通話周波数を有さないとき、前記ＳＤＰ応答メッセージを構成するよう構成され、前記ＳＤＰ応答メッセージのオーディオサポートフィールドは前記同じビデオ通話周波数を有し、前記ビデオサポートフィールドはリザーブされ、前記ビデオサポートフィールドのコンテンツはエンプティであり、
前記構成モジュールは更に、具体的には、前記ローカル通信装置のメディア能力情報と前記第１通信装置のメディア能力情報とが同じオーディオ通話周波数を有し、前記ローカル通信装置のメディア能力情報と前記第１通信装置のメディア能力情報との何れもがビデオ通話周波数を有さないとき、前記ＳＤＰ応答メッセージを構成するよう構成され、前記ＳＤＰ応答メッセージのオーディオサポートフィールドは前記同じオーディオ通話周波数であり、前記ビデオサポートフィールドはリザーブされ、前記ビデオサポートフィールドのコンテンツはエンプティである、請求項５記載の装置。
【請求項７】
前記判定モジュールは、
前記第１通信装置のメディア能力情報がビデオ通話周波数を有するか判断するよう構成される判定ユニットと、
前記第１通信装置のメディア能力情報がビデオ通話周波数を有さない場合、前記ローカル通信装置のメディア能力情報が前記第１通信装置のメディア能力情報に一致しないと判断するよう構成されるマッチング判断ユニットと、
を有し、
前記マッチング判断ユニットは更に、前記第１通信装置のメディア能力情報がビデオ通話周波数を有する場合、前記ローカル通信装置のメディア能力情報がビデオ通話周波数を有するか判断するよう構成され、前記ローカル通信装置のメディア能力情報がビデオ通話周波数を有さない場合、前記ローカル通信装置のメディア能力情報は前記第１通信装置のメディア能力情報に一致しない、請求項５記載の装置。
【請求項８】
前記判定モジュールは更に、前記ローカル通信装置のメディア能力情報がビデオ通話周波数を有する場合、前記ローカル通信装置のメディア能力情報と前記第１通信装置のメディア能力情報とが同じオーディオ通話周波数を有するか、及び前記ローカル通信装置のメディア能力情報と前記第１通信装置のメディア能力情報とが同じビデオ通話周波数を有するか判断するよう構成され、
前記マッチング判断ユニットは更に、前記ローカル通信装置のメディア能力情報と前記第１通信装置のメディア能力情報とが同じオーディオ通話周波数を有し、前記ローカル通信装置のメディア能力情報と前記第１通信装置のメディア能力情報とが同じビデオ通話周波数を有する場合、前記ローカル通信装置のメディア能力情報が前記第１通信装置のメディア能力情報に一致すると判断するよう構成され、
前記マッチング判断ユニットは更に、前記ローカル通信装置のメディア能力情報と前記第１通信装置のメディア能力情報とが同じオーディオ通話周波数を有し、前記ローカル通信装置のメディア能力情報と前記第１通信装置のメディア能力情報とが同じビデオ通話周波数を有さない場合、前記ローカル通信装置のメディア能力情報が前記第１通信装置のメディア能力情報に一致しないと判断するよう構成される、請求項７記載の装置。
【請求項９】
受信機、送信機及びプロセッサを有する通信装置であって、
前記受信機は前記プロセッサに接続され、前記プロセッサは前記送信機に接続され、
前記受信機は、第１通信装置により送信されたビデオ通話リクエストを受信するよう構成され、前記ビデオ通話リクエストは前記第１通信装置のメディア能力情報を含み、
前記プロセッサは、ローカル通信装置のメディア能力情報が前記第１通信装置のメディア能力情報に一致するか判断するよう構成され、
前記プロセッサは更に、前記ローカル通信装置のメディア能力情報が前記第１通信装置のメディア能力情報に一致せず、及び前記ローカル通信装置のメディア能力情報と前記第１通信装置のメディア能力情報とが同じオーディオ通話周波数を有するとき、セッション記述プロトコル（ＳＤＰ）応答メッセージを構成するよう構成され、前記ＳＤＰ応答メッセージのビデオサポートフィールドのコンテンツはエンプティであり、前記ＳＤＰ応答メッセージのオーディオサポートフィールドは前記同じオーディオ通話周波数であり、
前記送信機は、前記第１通信装置と前記ローカル通信装置とがビデオデータを送信するように、前記ＳＤＰ応答メッセージを前記第１通信装置に送信するよう構成される通信装置。
【請求項１０】
前記プロセッサは更に、具体的には、前記ローカル通信装置のメディア能力情報と前記第１通信装置のメディア能力情報とが同じオーディオ通話周波数を有し、前記ローカル通信装置のメディア能力情報と前記第１通信装置のメディア能力情報とが同じビデオ通話周波数を有さないとき、前記ＳＤＰ応答メッセージを構成するよう構成され、前記ＳＤＰ応答メッセージのオーディオサポートフィールドは前記同じオーディオ通話周波数であり、前記ビデオサポートフィールドはリザーブされ、前記ビデオサポートフィールドのコンテンツはエンプティであり、
前記プロセッサは更に、具体的には、前記ローカル通信装置のメディア能力情報と前記第１通信装置のメディア能力情報とが同じオーディオ通話周波数を有し、前記ローカル通信装置のメディア能力情報と前記第１通信装置のメディア能力情報とが何れもビデオ通話周波数を有さないとき、前記ＳＤＰ応答メッセージを構成するよう構成され、前記ＳＤＰ応答メッセージのオーディオサポートフィールドは前記同じオーディオ通話周波数であり、前記ビデオサポートフィールドはリザーブされ、前記ビデオサポートフィールドのコンテンツはエンプティである、請求項９記載の通信装置。
【請求項１１】
前記プロセッサは更に、前記第１通信装置のメディア能力情報がビデオ通話周波数を有するか判断し、前記第１通信装置のメディア能力情報がビデオ通話周波数を有さない場合、前記ローカル通信装置のメディア能力情報は前記第１通信装置のメディア能力情報に一致せず、前記第１通信装置のメディア能力情報がビデオ通話周波数を有する場合、前記ローカル通信装置のメディア能力情報がビデオ通話周波数を有するか判断し、前記ローカル通信装置のメディア能力情報がビデオ通話周波数を有さない場合、前記ローカル通信装置のメディア能力情報は前記第１通信装置のメディア能力情報に一致しない、請求項９記載の通信装置。
【請求項１２】
前記プロセッサは更に、前記ローカル通信装置のメディア能力情報がビデオ通話周波数を有する場合、前記ローカル通信装置のメディア能力情報と前記第１通信装置のメディア能力情報とが同じオーディオ通話周波数を有するか、及び前記ローカル通信装置のメディア能力情報と前記第１通信装置のメディア能力情報とが同じビデオ通話周波数を有するか判断するよう構成され、前記ローカル通信装置のメディア能力情報と前記第１通信装置のメディア能力情報とが同じオーディオ通話周波数を有し、前記ローカル通信装置のメディア能力情報と前記第１通信装置のメディア能力情報とが同じビデオ通話周波数を有する場合、前記ローカル通信装置のメディア能力情報は前記第１通信装置のメディア能力情報に一致し、前記ローカル通信装置のメディア能力情報と前記第１通信装置のメディア能力情報とが同じオーディオ通話周波数を有し、前記ローカル通信装置のメディア能力情報と前記第１通信装置のメディア能力情報とが同じビデオ通話周波数を有さない場合、前記ローカル通信装置のメディア能力情報は前記第１通信装置のメディア能力情報に一致しない、請求項１１記載の通信装置。
【発明の詳細な説明】
【技術分野】
【０００１】
本出願は、参照することによってその全体がここに援用される、２０１２年１１月２１日に中国特許庁に出願された中国特許出願第２０１２１０４７５７２２．３号“ＶＩＤＥＯ  ＤＡＴＡ  ＴＲＡＮＳＭＩＳＳＩＯＮ  ＭＥＴＨＯＤ  ＡＮＤ  ＡＰＰＡＲＡＴＵＳ，ＡＮＤ  ＣＯＭＭＵＮＩＣＡＴＩＯＮＳ  ＤＥＶＩＣＥ”に対する優先権を主張する。
【０００２】
本発明は、端末の分野に関し、特にビデオデータ送信方法及び装置並びに通信装置に関する。
【背景技術】
【０００３】
端末データサービスの発達によって、パケット交換ドメインデータサービスが増大している。ビデオ通話は、典型的なパケット交換ドメインデータサービスの１つであり、ビデオデータの通常の送信を確実にする方法が産業界における注目の焦点になってきている。
【０００４】
従来技術では、ＡがＢに通話するとき、ＡはＢにビデオ通話リクエストを送信し、ここで、当該ビデオ通話リクエストはＡのメディア能力情報を含み、メディア能力情報は、Ａのオーディオ通話周波数とビデオ通話周波数とを含む。Ａによって送信されたビデオ通話リクエストを受信すると、Ｂは、Ｂのメディア能力情報に従ってＡのメディア能力情報をマッチングする。Ｂのメディア能力情報とＡのメディア能力情報とが同じオーディオ通話周波数を含み、Ｂのメディア能力情報とＡのメディア能力情報とが同じビデオ通話周波数を含むとき、Ｂは、セッション記述プロトコルＳＤＰ（Ｓｅｓｓｉｏｎ  Ｄｅｓｃｒｉｐｔｉｏｎ  Ｐｒｏｔｏｃｏｌ）応答メッセージをＡに送信し、ＡとＢとの間でビデオ送信チャネルが確立され、ビデオデータがＡとＢとの間で送信される。
【０００５】
本発明を実現する処理において、本発明者は、少なくとも以下の問題が従来技術にあると分かった。
【０００６】
ビデオ送信チャネルが確立中であるとき、Ｂのメディア能力情報とＡのメディア能力情報とが同じオーディオ通話周波数を含み、Ｂのメディア能力情報とＡのメディア能力情報とは同じビデオ通話周波数を含まない、又はＢのメディア能力情報がビデオ通話周波数を含まない、又はＡのメディア能力情報がビデオ通話周波数を含まない、又はＡのメディア能力情報とＢのメディア能力情報との何れもビデオ通話周波数を含まない場合、ＡとＢとの間のビデオデータ送信のためのビデオ送信チャネルは確立できない。
【発明の概要】
【発明が解決しようとする課題】
【０００７】
従来技術における問題を解決するため、本発明の実施例は、ビデオデータ送信方法及び装置並びに通信装置を提供する。技術的手段は以下の通りである。
【課題を解決するための手段】
【０００８】
一態様によると、ビデオデータ送信方法であって、
第２通信装置が、第１通信装置によって送信されたビデオ通話リクエストを受信するステップであって、前記ビデオ通話リクエストは前記第１通信装置のメディア能力情報を含む、受信するステップと、
前記第２通信装置のメディア能力情報が前記第１通信装置のメディア能力情報に一致するか判断するステップと、
前記第２通信装置のメディア能力情報が前記第１通信装置のメディア能力情報に一致せず、前記第２通信装置のメディア能力情報と前記第１通信装置のメディア能力情報とが同じオーディオ通話周波数を有するとき、セッション記述プロトコル（ＳＤＰ）応答メッセージを構成するステップであって、前記ＳＤＰ応答メッセージのビデオサポートフィールドのコンテンツはエンプティであり、前記ＳＤＰ応答メッセージのオーディオサポートフィールドは前記同じオーディオ通話周波数である、構成するステップと、
前記第１通信装置と前記第２通信装置とがビデオデータを送信するように、前記ＳＤＰ応答メッセージを前記第１通信装置に送信するステップと、
を有する方法が提供される。
【０００９】
任意的には、前記第２通信装置のメディア能力情報が前記第１通信装置のメディア能力情報に一致せず、前記第２通信装置のメディア能力情報と前記第１通信装置のメディア能力情報とが同じオーディオ通話周波数を有するとき、セッション記述プロトコル（ＳＤＰ）応答メッセージを構成するステップであって、前記ＳＤＰ応答メッセージのビデオサポートフィールドのコンテンツはエンプティであり、前記ＳＤＰ応答メッセージのオーディオサポートフィールドは前記同じオーディオ通話周波数である、構成するステップは、具体的には、
前記第２通信装置のメディア能力情報と前記第１通信装置のメディア能力情報とが同じオーディオ通話周波数を有し、前記第２通信装置のメディア能力情報と前記第１通信装置のメディア能力情報とが同じビデオ通話周波数を有さないとき、前記ＳＤＰ応答メッセージを構成するステップであって、前記ＳＤＰ応答メッセージのオーディオサポートフィールドは前記同じオーディオ通話周波数であり、前記ビデオサポートフィールドはリザーブされ、前記ビデオサポートフィールドのコンテンツはエンプティである、構成するステップと、
前記第２通信装置のメディア能力情報と前記第１通信装置のメディア能力情報とが同じオーディオ通話周波数を有し、前記第２通信装置のメディア能力情報と前記第１通信装置のメディア能力情報との何れもビデオ通話周波数を有さないとき、前記ＳＤＰ応答メッセージを構成するステップであって、前記ＳＤＰ応答メッセージのオーディオサポートフィールドは前記同じオーディオ通話周波数であり、前記ビデオサポートフィールドはリザーブされ、前記ビデオサポートフィールドのコンテンツはエンプティである、構成するステップと、
を有する。
【００１０】
任意的には、前記第２通信装置のメディア能力情報が前記第１通信装置のメディア能力情報に一致するか判断するステップは、
前記第１通信装置のメディア能力情報がビデオ通話周波数を有するか判断するステップであって、前記第１通信装置のメディア能力情報がビデオ通話周波数を有さない場合、前記第２通信装置のメディア能力情報は前記第１通信装置のメディア能力情報に一致しない、判断するステップと、
前記第１通信装置のメディア能力情報がビデオ通話周波数を有する場合、前記第２通信装置のメディア能力情報がビデオ通話周波数を有するか判断するステップであって、前記第２通信装置のメディア能力情報がビデオ通話周波数を有さない場合、前記第２通信装置のメディア能力情報は前記第１通信装置のメディア能力情報に一致しない、判断するステップと、
を有する。
【００１１】
任意的には、前記第１通信装置のメディア能力情報がビデオ通話周波数を有する場合、前記第２通信装置のメディア能力情報がビデオ通話周波数を有するか判断するステップの後、当該方法は更に、
前記第２通信装置のメディア能力情報がビデオ通話周波数を有する場合、前記第２通信装置のメディア能力情報と前記第１通信装置のメディア能力情報とが同じオーディオ通話周波数を有するか、及び前記第２通信装置のメディア能力情報と前記第１通信装置のメディア能力情報とが同じビデオ通話周波数を有するか判断するステップを有し、
前記第２通信装置のメディア能力情報と前記第１通信装置のメディア能力情報とが同じオーディオ通話周波数を有し、前記第２通信装置のメディア能力情報と前記第１通信装置のメディア能力情報とが同じビデオ通話周波数を有する場合、前記第２通信装置のメディア能力情報は前記第１通信装置のメディア能力情報に一致し、
前記第２通信装置のメディア能力情報と前記第１通信装置のメディア能力情報とが同じオーディオ通話周波数を有し、前記第２通信装置のメディア能力情報と前記第１通信装置のメディア能力情報とが同じビデオ通話周波数を有さない場合、前記第２通信装置のメディア能力情報は前記第１通信装置のメディア能力情報に一致しない。
【００１２】
他の態様によると、
第１通信装置によって送信されたビデオ通話リクエストを受信するよう構成される受信モジュールであって、前記ビデオ通話リクエストは前記第１通信装置のメディア能力情報を伝送する、受信モジュールと、
ローカル通信装置のメディア能力情報が前記第１通信装置のメディア能力情報に一致するか判断するよう構成される判定モジュールと、
前記ローカル通信装置のメディア能力情報が前記第１通信装置のメディア能力情報に一致せず、前記ローカル通信装置のメディア能力情報と前記第１通信装置のメディア能力情報とが同じオーディオ通話周波数を有するとき、セッション記述プロトコル（ＳＤＰ）応答メッセージを構成するよう構成される構成モジュールであって、前記ＳＤＰ応答メッセージのビデオサポートフィールドのコンテンツはエンプティであり、前記ＳＤＰ応答メッセージのオーディオサポートフィールドは前記同じオーディオ通話周波数である、構成モジュールと、
前記第１通信装置と前記ローカル通信装置とがビデオデータを送信するように、前記ＳＤＰ応答メッセージを前記第１通信装置に送信するよう構成される送信モジュールと、
を有するビデオデータ送信装置が提供される。
【００１３】
任意的には、前記構成モジュールは、具体的には、前記ローカル通信装置のメディア能力情報と前記第１通信装置のメディア能力情報とが同じオーディオ通話周波数を有し、前記ローカル通信装置のメディア能力情報と前記第１通信装置のメディア能力情報とが同じビデオ通話周波数を有さないとき、前記ＳＤＰ応答メッセージを構成するよう構成され、前記ＳＤＰ応答メッセージのオーディオサポートフィールドは前記同じオーディオ通話周波数を有し、前記ビデオサポートフィールドはリザーブされ、前記ビデオサポートフィールドのコンテンツはエンプティであり、
前記構成モジュールは更に、具体的には、前記ローカル通信装置のメディア能力情報と前記第１通信装置のメディア能力情報とが同じオーディオ通話周波数を有し、前記ローカル通信装置のメディア能力情報と前記第１通信装置のメディア能力情報との何れもがビデオ通話周波数を有さないとき、前記ＳＤＰ応答メッセージを構成するよう構成され、前記ＳＤＰ応答メッセージのオーディオサポートフィールドは前記同じオーディオ通話周波数であり、前記ビデオサポートフィールドはリザーブされ、前記ビデオサポートフィールドのコンテンツはエンプティである。
【００１４】
任意的には、前記判定モジュールは、
前記第１通信装置のメディア能力情報がビデオ通話周波数を有するか判断するよう構成される判定ユニットと、
前記第１通信装置のメディア能力情報がビデオ通話周波数を有さない場合、前記ローカル通信装置のメディア能力情報が前記第１通信装置のメディア能力情報に一致しないと判断するよう構成されるマッチング判断ユニットと、
を有し、
前記マッチング判断ユニットは更に、前記第１通信装置のメディア能力情報がビデオ通話周波数を有する場合、前記ローカル通信装置のメディア能力情報がビデオ通話周波数を有するか判断するよう構成され、前記ローカル通信装置のメディア能力情報がビデオ通話周波数を有さない場合、前記ローカル通信装置のメディア能力情報は前記第１通信装置のメディア能力情報に一致しない。
【００１５】
任意的には、前記判定モジュールは更に、前記ローカル通信装置のメディア能力情報がビデオ通話周波数を有する場合、前記ローカル通信装置のメディア能力情報と前記第１通信装置のメディア能力情報とが同じオーディオ通話周波数を有するか、及び前記ローカル通信装置のメディア能力情報と前記第１通信装置のメディア能力情報とが同じビデオ通話周波数を有するか判断するよう構成され、
前記マッチング判断ユニットは更に、前記ローカル通信装置のメディア能力情報と前記第１通信装置のメディア能力情報とが同じオーディオ通話周波数を有し、前記ローカル通信装置のメディア能力情報と前記第１通信装置のメディア能力情報とが同じビデオ通話周波数を有さない場合、前記ローカル通信装置のメディア能力情報が前記第１通信装置のメディア能力情報に一致すると判断するよう構成され、
前記マッチング判断ユニットは更に、前記ローカル通信装置のメディア能力情報と前記第１通信装置のメディア能力情報とが同じオーディオ通話周波数を有し、前記ローカル通信装置のメディア能力情報と前記第１通信装置のメディア能力情報とが同じビデオ通話周波数を有さない場合、前記ローカル通信装置のメディア能力情報が前記第１通信装置のメディア能力情報に一致しないと判断するよう構成される。
【００１６】
他の態様によると、
受信機、送信機及びプロセッサを有する通信装置であって、前記受信機は前記プロセッサに接続され、前記プロセッサは前記送信機に接続され、
前記受信機は、第１通信装置により送信されたビデオ通話リクエストを受信するよう構成され、前記ビデオ通話リクエストは前記第１通信装置のメディア能力情報を含み、
前記プロセッサは、ローカル通信装置のメディア能力情報が前記第１通信装置のメディア能力情報に一致するか判断するよう構成され、
前記プロセッサは更に、前記ローカル通信装置のメディア能力情報が前記第１通信装置のメディア能力情報に一致せず、及び前記ローカル通信装置のメディア能力情報と前記第１通信装置のメディア能力情報とが同じオーディオ通話周波数を有するとき、セッション記述プロトコル（ＳＤＰ）応答メッセージを構成するよう構成され、前記ＳＤＰ応答メッセージのビデオサポートフィールドのコンテンツはエンプティであり、前記ＳＤＰ応答メッセージのオーディオサポートフィールドは前記同じオーディオ通話周波数であり、
前記送信機は、前記第１通信装置と前記ローカル通信装置とがビデオデータを送信するように、前記ＳＤＰ応答メッセージを前記第１通信装置に送信するよう構成される通信装置が提供される。
【００１７】
任意的には、前記プロセッサは更に、具体的には、前記ローカル通信装置のメディア能力情報と前記第１通信装置のメディア能力情報とが同じオーディオ通話周波数を有し、前記ローカル通信装置のメディア能力情報と前記第１通信装置のメディア能力情報とが同じビデオ通話周波数を有さないとき、前記ＳＤＰ応答メッセージを構成するよう構成され、前記ＳＤＰ応答メッセージのオーディオサポートフィールドは前記同じオーディオ通話周波数であり、前記ビデオサポートフィールドはリザーブされ、前記ビデオサポートフィールドのコンテンツはエンプティであり、
前記プロセッサは更に、具体的には、前記ローカル通信装置のメディア能力情報と前記第１通信装置のメディア能力情報とが同じオーディオ通話周波数を有し、前記ローカル通信装置のメディア能力情報と前記第１通信装置のメディア能力情報とが何れもビデオ通話周波数を有さないとき、前記ＳＤＰ応答メッセージを構成するよう構成され、前記ＳＤＰ応答メッセージのオーディオサポートフィールドは前記同じオーディオ通話周波数であり、前記ビデオサポートフィールドはリザーブされ、前記ビデオサポートフィールドのコンテンツはエンプティである。
【００１８】
任意的には、前記プロセッサは更に、前記第１通信装置のメディア能力情報がビデオ通話周波数を有するか判断し、前記第１通信装置のメディア能力情報がビデオ通話周波数を有さない場合、前記ローカル通信装置のメディア能力情報は前記第１通信装置のメディア能力情報に一致せず、前記第１通信装置のメディア能力情報がビデオ通話周波数を有する場合、前記ローカル通信装置のメディア能力情報がビデオ通話周波数を有するか判断し、前記ローカル通信装置のメディア能力情報がビデオ通話周波数を有さない場合、前記ローカル通信装置のメディア能力情報は前記第１通信装置のメディア能力情報に一致しない。
【００１９】
任意的には、前記プロセッサは更に、前記ローカル通信装置のメディア能力情報がビデオ通話周波数を有する場合、前記ローカル通信装置のメディア能力情報と前記第１通信装置のメディア能力情報とが同じオーディオ通話周波数を有するか、及び前記ローカル通信装置のメディア能力情報と前記第１通信装置のメディア能力情報とが同じビデオ通話周波数を有するか判断するよう構成され、前記ローカル通信装置のメディア能力情報と前記第１通信装置のメディア能力情報とが同じオーディオ通話周波数を有し、前記ローカル通信装置のメディア能力情報と前記第１通信装置のメディア能力情報とが同じビデオ通話周波数を有さない場合、前記ローカル通信装置のメディア能力情報は前記第１通信装置のメディア能力情報に一致し、前記ローカル通信装置のメディア能力情報と前記第１通信装置のメディア能力情報とが同じオーディオ通話周波数を有し、前記ローカル通信装置のメディア能力情報と前記第１通信装置のメディア能力情報とが同じビデオ通話周波数を有さない場合、前記ローカル通信装置のメディア能力情報は前記第１通信装置のメディア能力情報に一致しない。
【発明の効果】
【００２０】
本発明の実施例において提供されるビデオデータ送信方法では、第２通信装置は、第１通信装置によって送信されたビデオ通話リクエストを受信し、ここで、ビデオ通話リクエストは第１通信装置のメディア能力情報を含み、第１通信装置のメディア能力情報が第２通信装置のメディア能力情報に一致するか判断し、第２通信装置のメディア能力情報が第１通信装置のメディア能力情報に一致せず、第２通信装置のメディア能力情報と第１通信装置のメディア能力情報とが同じオーディオ通話周波数を有するとき、セッション記述プロトコル（ＳＤＰ）応答メッセージを構成し、ここで、ＳＤＰ応答メッセージのビデオサポートフィールドのコンテンツはエンプティであり、ＳＤＰ応答メッセージのオーディオサポートフィールドは同じオーディオ通話周波数を有し、第１通信装置と第２通信装置とがビデオデータを送信するように、ＳＤＰ応答メッセージを第１通信装置に送信する。本発明において提供される技術的手段を利用することによって、第１通信装置のメディア能力情報が第２通信装置のメディア能力情報に一致しないとき、ビデオデータ送信のための第１通信装置と第２通信装置との間のビデオ送信チャネルが依然として確立可能であり、さらに、第１通信装置と第２通信装置とはビデオ通話において他の機能を利用できる。従来技術と比較して、第１通信装置のメディア能力情報が第２通信装置のメディア能力情報に一致しないときの通話が確立に失敗する問題が回避される。
【図面の簡単な説明】
【００２１】
本発明の実施例における技術的手段をより明確に説明するため、以下において、実施例を説明するのに必要とされる添付図面が簡単に紹介される。明らかに、以下の説明における添付図面は本発明の単なるいくつかの実施例を示し、当業者は、創作的な努力なくこれらの添付図面から他の図面を依然として導出するかもしれない。
【図１】図１は、本発明の実施例によるビデオデータ送信方法のフローチャートである。
【図２Ａ】図２Ａは、本発明の実施例によるビデオデータ送信のシグナリング相互作用図である。
【図２Ｂ】図２Ｂは、本発明の実施例によるビデオデータ送信のシグナリング相互作用図である。
【図３Ａ】図３Ａは、本発明の実施例によるビデオデータ送信のシグナリング相互作用図である。
【図３Ｂ】図３Ｂは、本発明の実施例によるビデオデータ送信のシグナリング相互作用図である。
【図４Ａ】図４Ａは、本発明の実施例によるビデオデータ送信のシグナリング相互作用図である。
【図４Ｂ】図４Ｂは、本発明の実施例によるビデオデータ送信のシグナリング相互作用図である。
【図５Ａ】図５Ａは、本発明の実施例によるビデオデータ送信のシグナリング相互作用図である。
【図５Ｂ】図５Ｂは、本発明の実施例によるビデオデータ送信のシグナリング相互作用図である。
【図６】図６は、本発明の実施例によるビデオデータ送信装置の概略的な構成図である。
【図７】図７は、本発明の実施例による通信装置の概略的な構成図である。
【発明を実施するための形態】
【００２２】
本発明の課題、技術的手段及び効果をより明確にするため、添付図面を参照して本発明の実施例が以下において詳細に更に説明される。
【００２３】
図１は、本発明の実施例によるビデオデータ送信方法のフローチャートである。図１を参照して、本実施例は、具体的には以下を含む。
【００２４】
１０１：第２通信装置が、第１通信装置によって送信されたビデオ通話リクエストを受信し、ここで、当該ビデオ通話リクエストは第１通信装置のメディア能力情報を伝送する。
【００２５】
第１通信装置と第２通信装置との双方が、通信能力を備えた通信装置であってもよい。
【００２６】
第１通信装置のメディア能力情報は、少なくともオーディオ通話周波数を含む。さらに、第１通信装置のメディア能力情報は更に、オーディオ通話周波数とビデオ通話周波数とを含むものであってもよい。
【００２７】
第１通信装置がカメラを有し、当該カメラが通常の作動状態にあるとき、すなわち、第１通信装置がビデオ通信能力を有するとき、ビデオ通話リクエストにおいて伝送される第１通信装置のメディア能力情報は、第１通信装置がビデオ通話リクエストを送信するとき、オーディオ通話周波数とビデオ通話周波数とを含む。
【００２８】
しかしながら、第１通信装置がカメラを有さず、あるいは、第１通信装置のカメラが異常であるとき、すなわち、第１通信装置がビデオ通信能力を有さないとき、ビデオ通話リクエストにおいて伝送される第１通信装置のメディア能力情報は、第１通信装置がビデオ通話リクエストを送信するとき、オーディオ通話周波数しか含まない。
【００２９】
１０２：第１通信装置のメディア能力情報が第２通信装置のメディア能力情報に一致するか判断し、第１通信装置のメディア能力情報が第２通信装置のメディア能力情報に一致しない場合、ステップ１０３を実行する。
【００３０】
従来技術では、第１通信装置と第２通信装置の双方がビデオ通信能力を有し、第２通信装置のメディア能力情報と前記第１通信装置のメディア能力情報とが同じオーディオ通話周波数を含み、第２通信装置のメディア能力情報と第１通信装置のメディア能力情報とが同じビデオ通話周波数を含むときに限って、第１通信装置と第２通信装置の間でビデオデータが送信可能である。従って、第１通信装置のメディア能力情報が第２通信装置のメディア能力情報に一致するか判断することが要求される。
【００３１】
さらに、ステップ１０２における判断結果がイエスである場合、セッション記述プロトコル（ＳＤＰ）応答メッセージが構成され、ＳＤＰ応答メッセージのオーディオサポートフィールドは同じオーディオ通話周波数であり、ビデオサポートフィールドは同じビデオ通話周波数である。
【００３２】
１０３：第２通信装置のメディア能力情報が第１通信装置のメディア能力情報に一致せず、第２通信装置のメディア能力情報と第１通信装置のメディア能力情報とが同じオーディオ通話周波数を有するとき、セッション記述プロトコル（ＳＤＰ）応答メッセージを構成し、ここで、ＳＤＰ応答メッセージのビデオサポートフィールドのコンテンツはエンプティであり、ＳＤＰ応答メッセージのオーディオサポートフィールドは同じオーディオ通話周波数である。
【００３３】
従来技術との相違は、本発明の本実施例では、第２通信装置のメディア能力情報が第１通信装置のメディア能力情報に一致しないと判断されているため、ＳＤＰ応答メッセージの構成が、ビデオ通話を確立する際の失敗を回避するため調整されるということである。このようにして、第２通信装置のメディア能力情報が第１通信装置のメディア能力情報に一致しないが、第２通信装置のメディア能力情報と第１通信装置のメディア能力情報とが同じオーディオ通話周波数を有するとき、ＳＤＰ応答メッセージが構成可能である。ＳＤＰ応答メッセージが構成されているとき、ＳＤＰ応答メッセージのビデオサポートフィールドがリザーブされ、ビデオサポートフィールドのコンテンツがエンプティに設定され、この結果、第２通信装置のメディア能力情報が第１通信装置のメディア能力情報に一致しない場合、第１通信装置と第２通信装置との間でビデオデータが依然として送信できる。
【００３４】
従来技術では、オファー／アンサーモデルでは、まずセッションの一方のパーティ（オファー側）が、当該パーティにより期待されるセッションを記述するためＳＤＰメッセージを生成し、これによりオファー（ｏｆｆｅｒ）を構成する。当該オファーは他方のパーティに送られる。オファーの受信後、当該パーティは、当該オファーを受け入れてもよいし、また拒絶してもよい。オファーが受け入れられると、アンサー側は、受信したオファーとアンサー側の能力とに従って、アンサー側により受け入れ可能なセッションを記述するためのＳＤＰメッセージを生成し、ここで、当該ＳＤＰメッセージはＳＤＰ応答メッセージとなる。第２通信装置のメディア能力情報と第１通信装置のメディア能力情報とが同じオーディオ通話周波数を有し、第２通信装置のメディア能力情報と第１通信装置のメディア能力情報とが同じビデオ通話周波数を有するとき、第２通信装置は、ＳＤＰ応答メッセージを第１通信装置に送信する。ＳＤＰ応答メッセージのオーディオサポートフィールドは同じオーディオ通話周波数であり、ビデオサポートフィールドは同じビデオ通話周波数である。
【００３５】
１０４：第１通信装置と第２通信装置とがビデオデータを送信するように、ＳＤＰ応答メッセージを第１通信装置に送信する。
【００３６】
具体的には、第２通信装置は、構成したＳＤＰ応答メッセージを第１通信装置に送信し、ネットワークサーバは、オーディオ送信チャネルとビデオ送信チャネルとを第１通信装置と第２通信装置とに割り当て、第１通信装置と第２通信装置とは、割り当てられたオーディオ送信チャネルを介しオーディオデータを送信し、割り当てられたビデオ送信チャネルを介しビデオデータを送信する。当業者は、ネットワークサーバがオーディオ送信チャネルとビデオ送信チャネルとを第１通信装置と第２通信装置とに割り当てる処理は従来技術に開示されていることを知ってるかもしれず、ここでは詳細は再説明されない。
【００３７】
さらに、確立されたビデオ送信チャネルを介し、第１通信装置と第２通信装置とは、ビデオ通話処理においてファイル転送などの他の機能を利用可能である。
【００３８】
当業者は、第１通信装置と第２通信装置とによるオーディオデータ及びビデオデータを送信する具体的処理は従来技術であることを知ってるかもしれず、ここでは詳細は再説明されない。
【００３９】
任意的には、図１に示される実施例の技術的手段に基づき、“第２通信装置のメディア能力情報が第１通信装置のメディア能力情報に一致しないとき、セッション記述プロトコル（ＳＤＰ）応答メッセージを構成し、ここで、ＳＤＰ応答メッセージのビデオサポートフィールドのコンテンツがエンプティである”ステップ１０３が、具体的には、ステップＡ１及びステップＡ２を含む。
【００４０】
Ａ１：第２通信装置のメディア能力情報と第１通信装置のメディア能力情報とが同じオーディオ通話周波数を有し、第２通信装置のメディア能力情報と第１通信装置のメディア能力情報とが同じビデオ通話周波数を有さないとき、ＳＤＰ応答メッセージを構成し、ここで、ＳＤＰ応答メッセージのオーディオサポートフィールドは同じオーディオ通話周波数であり、ビデオサポートフィールドはリザーブされ、ビデオサポートフィールドのコンテンツはエンプティである。
【００４１】
ステップＡ１において、第２通信装置のメディア能力情報が第１通信装置のメディア能力情報に一致しないということは、以下のケース、すなわち、（１）第２通信装置のメディア能力情報と第１通信装置のメディア能力情報とが同じオーディオ通話周波数を有し、第２通信装置のメディア能力情報と第１通信装置のメディア能力情報とが同じビデオ通話周波数を有さないケース、（２）第２通信装置のメディア能力情報と第１通信装置のメディア能力情報とが同じオーディオ通話周波数を有し、第２通信装置のメディア能力情報がビデオ通話周波数を有さないが、第１通信装置のメディア能力情報がビデオ通話周波数を有するケース、及び（３）第２通信装置のメディア能力情報と第１通信装置のメディア能力情報とが同じオーディオ通話周波数を有し、第２通信装置のメディア能力情報がビデオ通話周波数を有するが、第１通信装置のメディア能力情報がビデオ通話周波数を有さないケースを含む。
【００４２】
上述した（１）、（２）及び（３）のケースについて、第２通信装置のメディア能力情報と第１通信装置のメディア能力情報とが同じオーディオ通話周波数を有する限り、ＳＤＰ応答メッセージが構成される。ＳＤＰ応答メッセージを構成する処理では、オーディオサポートフィールドが同じオーディオ通話周波数であり、ビデオサポートフィールドがリザーブされ、ビデオサポートフィールドのコンテンツがエンプティであるＳＤＰ応答メッセージを取得するため、同じオーディオ通話周波数がＳＤＰ応答メッセージのオーディオサポートフィールドとして保存され、ＳＤＰ応答メッセージのビデオサポートフィールドがリザーブされ、ビデオサポートフィールドのコンテンツがエンプティに設定される。
【００４３】
Ａ２：第２通信装置のメディア能力情報と第１通信装置のメディア能力情報とが同じオーディオ通話周波数を有し、第２通信装置のメディア能力情報と第１通信装置のメディア能力情報との何れもビデオ通話周波数を有さないとき、ＳＤＰ応答メッセージを構成し、ここで、ＳＤＰ応答メッセージのオーディオサポートフィールドは同じオーディオ通話周波数であり、ビデオサポートフィールドはリザーブされ、ビデオサポートフィールドのコンテンツはエンプティである。
【００４４】
ステップＡ２の上述したケースについて、第２通信装置のメディア能力情報と第１通信装置のメディア能力情報とが同じオーディオ通話周波数を有する限り、ＳＤＰ応答メッセージが構成される。ＳＤＰ応答メッセージを構成する処理では、オーディオサポートフィールドが同じオーディオ通話周波数であり、ビデオサポートフィールドがリザーブされ、ビデオサポートフィールドのコンテンツがエンプティであるＳＤＰ応答メッセージを取得するため、同じオーディオ通話周波数がＳＤＰ応答メッセージのオーディオサポートフィールドとして保存され、ＳＤＰ応答メッセージのビデオサポートフィールドがリザーブされ、ビデオサポートフィールドのコンテンツがエンプティに設定される。
【００４５】
さらに、第２通信装置のメディア能力情報と第１通信装置のメディア能力情報とが同じオーディオ通話周波数を有さないとき、通話は確立するのに失敗し、第２通信装置はＳＤＰ応答メッセージを構成しない。
【００４６】
例えば、第１通信装置のメディア能力情報は（ａ１，ｖ１）を有し、ａ１は第１通信装置のオーディオ通話周波数であり、ｖ１は第１通信装置のビデオ通話周波数であり、第２通信装置のメディア能力情報は（ａ１，ｖ２）を有し、ａ１は第２通信装置のオーディオ通話周波数であり、ｖ２は第２通信装置のビデオ通話周波数である。第２通信装置のメディア能力情報と第１通信装置のメディア能力情報とは同じビデオ通話周波数を有さないが、第２通信装置のメディア能力情報と第１通信装置のメディア能力情報とは同じオーディオ通話周波数を有することを知ることができる。この場合、第２通信装置はＳＤＰ応答メッセージを構成する。ＳＤＰ応答メッセージが構成されるとき、ＳＤＰ応答メッセージのオーディオサポートフィールドは同じオーディオ通話周波数であり、ビデオサポートフィールドはリザーブされ、ビデオサポートフィールドのコンテンツはエンプティに設定され、すなわち、第２通信装置により構成されるＳＤＰ応答メッセージに含まれるオーディオサポートフィールドはａ１であり、第２通信装置により構成されるＳＤＰ応答メッセージにおいて伝送されるビデオサポートフィールドはエンプティである。
【００４７】
任意的には、図１に示される実施例の技術的手段に基づき、“第１通信装置のメディア能力情報が第２通信装置のメディア能力情報に一致するか判断する”ステップ１０２は、以下のステップを含む。
【００４８】
Ａ３：第１通信装置のメディア能力情報がビデオ通話周波数を有するか判断する。
【００４９】
具体的には、第１通信装置のメディア能力情報は少なくともオーディオ通話周波数を有し、さらに、メディア能力情報は更にオーディオ通話周波数とビデオ通話周波数とを有し、第２通信装置のメディア能力情報と第１通信装置のメディア能力情報とが同じオーディオ通話周波数を有し、第２通信装置のメディア能力情報と第１通信装置のメディア能力情報とが同じビデオ通話周波数を有するとき、第２通信装置のメディア能力情報は第１通信装置のメディア能力情報に一致し、第１通信装置のメディア能力情報がビデオ通話周波数を有さないとき、第２通信装置のメディア能力情報は、第１通信装置のメディア能力情報に明確には一致せず、従って、第１通信装置のメディア能力情報はビデオ通話周波数を有するとまず判断される。
【００５０】
Ａ４：第１通信装置のメディア能力情報がビデオ通話周波数を有さない場合、第１通信装置のメディア能力情報は第２通信装置のメディア能力情報に一致しない。
【００５１】
具体的には、第２通信装置のメディア能力情報と第１通信装置のメディア能力情報とが同じオーディオ通話周波数を有し、第２通信装置のメディア能力情報と第１通信装置のメディア能力情報とが同じビデオ通話周波数を有するとき、第２通信装置のメディア能力情報は、第１通信装置のメディア能力情報に一致し、第１通信装置のメディア能力情報がビデオ通話周波数を有さず、オーディオ通話周波数のみを有する場合、第２通信装置のメディア能力情報がビデオ通話周波数を有しているかに関わらず、第２通信装置のメディア能力情報は、第１通信装置のメディア能力情報に一致しない。
【００５２】
Ａ５：第１通信装置のメディア能力情報がビデオ通話周波数を有する場合、第２通信装置のメディア能力情報がビデオ通話周波数を有するか判断し、ここで、第２通信装置のメディア能力情報がビデオ通話周波数を有さない場合、第２通信装置のメディア能力情報は、第１通信装置のメディア能力情報に一致しない。
【００５３】
具体的には、第２通信装置のメディア能力情報と第１通信装置のメディア能力情報とが同じオーディオ通話周波数を有し、第２通信装置のメディア能力情報と第１通信装置のメディア能力情報とが同じビデオ通話周波数を有する場合、第２通信装置のメディア能力情報は第１通信装置のメディア能力情報に一致し、第１通信装置のメディア能力情報がビデオ通話周波数を有する場合、第２通信装置のメディア能力情報がビデオ通話周波数を有するか判断され、ここで、第２通信装置のメディア能力情報がビデオ通話周波数を有する場合、第１通信装置のメディア能力情報は、おそらく第２通信装置のメディア能力情報に一致し、第２通信装置のメディア能力情報がビデオ通話周波数を有さない場合、第２通信装置のメディア能力情報は第１通信装置のメディア能力情報に一致しない。
【００５４】
任意的には、“第１通信装置のメディア能力情報がビデオ通話周波数を有する場合、第２通信装置のメディア能力情報がビデオ通話周波数を有するか判断し、ここで、第２通信装置のメディア能力情報がビデオ通話周波数を有さない場合、第２通信装置のメディア能力情報は、第１通信装置のメディア能力情報に一致しない”というステップＡ５の後に、ステップ１０２は更に以下のステップを含む。
【００５５】
Ａ６：第２通信装置のメディア能力情報がビデオ通話周波数を有する場合、第２通信装置のメディア能力情報と第１通信装置のメディア能力情報とが同じオーディオ通話周波数を有するか、及び第２通信装置のメディア能力情報と第１通信装置のメディア能力情報とが同じビデオ通話周波数を有するか判断する。
【００５６】
Ａ７：第２通信装置のメディア能力情報がビデオ通話周波数を有する場合、第２通信装置のメディア能力情報と第１通信装置のメディア能力情報とが同じオーディオ通話周波数を有し、第２通信装置のメディア能力情報と第１通信装置のメディア能力情報とが同じビデオ通話周波数を有する場合、第２通信装置のメディア能力情報は第１通信装置のメディア能力情報に一致する。
【００５７】
Ａ８：第２通信装置のメディア能力情報と第１通信装置のメディア能力情報とが同じオーディオ通話周波数を有し、第２通信装置のメディア能力情報と第１通信装置のメディア能力情報とが同じビデオ通話周波数を有さない場合、第２通信装置のメディア能力情報は第１通信装置のメディア能力情報に一致しない。
【００５８】
具体的には、第１通信装置のメディア能力情報がオーディオ通話周波数とビデオ通話周波数とを有し、第２通信装置のメディア能力情報がオーディオ通話周波数とビデオ通話周波数とを有し、第２通信装置のメディア能力情報と第１通信装置のメディア能力情報とが同じオーディオ通話周波数を有し、第２通信装置のメディア能力情報と第１通信装置のメディア能力情報とが同じビデオ通話周波数を有するとき、第２通信装置のメディア能力情報は第１通信装置のメディア能力情報に一致し、第２通信装置のメディア能力情報と第１通信装置のメディア能力情報とが同じオーディオ通話周波数を有し、第２通信装置のメディア能力情報と第１通信装置のメディア能力情報とが同じビデオ通話周波数を有さないとき、第２通信装置のメディア能力情報は第１通信装置のメディア能力情報に一致しない。
【００５９】
本発明の本実施例において提供されるビデオデータ送信方法では、第２通信装置は、第１通信装置によって送信されたビデオ通話リクエストを受信し、ここで、ビデオ通話リクエストは第１通信装置のメディア能力情報を含み、第１通信装置のメディア能力情報が第２通信装置のメディア能力情報に一致するか判断し、第２通信装置のメディア能力情報が第１通信装置のメディア能力情報に一致せず、第２通信装置のメディア能力情報と第１通信装置のメディア能力情報とが同じオーディオ通話周波数を有するとき、セッション記述プロトコル（ＳＤＰ）応答メッセージを構成し、ここで、ＳＤＰ応答メッセージのビデオサポートフィールドのコンテンツはエンプティであり、ＳＤＰ応答メッセージのオーディオサポートフィールドは同じオーディオ通話周波数であり、第１通信装置と第２通信装置とがビデオデータを送信するように、ＳＤＰ応答メッセージを第１通信装置に送信する。本発明において提供される技術的手段を利用することによって、第２通信装置のメディア能力情報が第１通信装置のメディア能力情報に一致しないとき、ビデオデータ送信のための第１通信装置と第２通信装置との間のビデオ送信チャネルが依然として確立可能であり、さらに、第１通信装置と第２通信装置とはビデオ通話において他の機能を利用可能である。従来技術と比較して、第２通信装置のメディア能力情報が第１通信装置のメディア能力情報に一致しないときに通話が確立失敗する問題が回避される。
【００６０】
図２Ａ及び２Ｂは、本発明の実施例によるビデオデータ送信のシグナリング相互作用図である。本実施例では、第１通信装置はカメラを有し、当該カメラは通常の作動状態にあり、すなわち、第１通信装置はビデオ通信能力を有し、第１通信装置のメディア能力情報は、オーディオ通話周波数とビデオ通話周波数とを有し、第２通信装置はカメラを有さないか、あるいは、第２通信装置のカメラは異常状態にある、すなわち、第２通信装置はビデオ通信能力を有さず、第２通信装置のメディア能力情報はオーディオ通話周波数しか有さない。図２Ａ及び２Ｂを参照して、方法の処理は以下を含む。
【００６１】
２０１：第１通信装置は、ビデオ通話リクエストを第２通信装置に送信し、ここで、当該ビデオ通話リクエストは第１通信装置のメディア能力情報を含み、第１通信装置のメディア能力情報はオーディオ通話周波数とビデオ通話周波数とを有する。
【００６２】
具体的には、第１通信装置はビデオ通信能力を有し、すなわち、第１通信装置のメディア能力情報はオーディオ通話周波数とビデオ通話周波数とを有する。
【００６３】
さらに、第１通信装置のメディア能力情報がオーディオ通話周波数とビデオ通話周波数との複数のグループを有してもよいとき、第１通信装置によって第２通信装置に送信されるビデオ通話リクエストは、第１通信装置のものであるオーディオ通話周波数とビデオ通話周波数との全てのグループを有し、また、第１通信装置のものであるオーディオ通話周波数の一部とビデオ通話周波数の一部とを有してもよい。
【００６４】
例えば、第１通信装置のメディア能力情報が（ａ１，ａ２，ｖ１，ｖ２）を有するときであり、ここで、ａ１及びａ２は第１通信装置のメディア能力情報におけるオーディオ通話周波数であり、ｖ１及びｖ２は第１通信装置のメディア能力情報におけるビデオ通話周波数である。
【００６５】
任意的には、第１通信装置によって第２通信装置に送信されるビデオ通話リクエストに含まれるメディア能力情報は、オーディオ通話周波数とビデオ通話周波数との全てのグループを有し、すなわち、ビデオ通話リクエストは（ａ１，ａ２，ｖ１，ｖ２）を含む。
【００６６】
任意的には、第１通信装置によって第２通信装置に送信されるビデオ通話リクエストに含まれるメディア能力情報は、オーディオ通話周波数とビデオ通話周波数の一部とを有し、すなわち、ビデオ通話リクエストは（ａ１，ｖ１）を含むか、（ａ１，ｖ２）を含むか、（ａ２，ｖ１）を含むか、あるいは、（ａ２，ｖ２）を含む。
【００６７】
当業者は、ビデオ通話リクエストが第１通信装置にインストールされたビデオ通話ソフトウェアを利用することによってトリガされてもよく、また第１通信装置のシステムに搭載される機能を利用することによってトリガされてもよい。第１通信装置のユーザがビデオ通話を行う必要があるとき、ユーザは、当該ソフトウェア又は機能を有効にし、ビデオ通話リクエストを指定されたユーザに送信してもよい。このソフトウェア又は機能は、第１通信装置のハードウェア装置を検出し、第１通信装置のメディア能力情報を取得可能であるか、あるいは、当該ソフトウェア又は機能は、第１通信装置のメディア能力情報を格納可能である。
【００６８】
２０２：第２通信装置は、第１通信装置によって送信されたビデオ通話リクエストを受信し、第１通信装置のメディア能力情報がビデオ通話周波数を有し、第２通信装置のメディア能力情報がビデオ通話周波数を有さず、第２通信装置のメディア能力情報と第１通信装置のメディア能力情報とが同じオーディオ通話周波数を有すると判断すると、ＳＤＰ応答メッセージを構成し、ここで、構成処理では、ＳＤＰ応答メッセージのビデオサポートフィールドがリザーブされ、ＳＤＰ応答メッセージのビデオサポートフィールドのコンテンツはエンプティに設定され、同じオーディオ通話周波数がＳＤＰ応答メッセージのオーディオサポートフィールドとして保存される。
【００６９】
具体的には、第１通信装置により送信されるビデオ通話リクエストを受信すると、第２通信装置は、第１通信装置のメディア能力情報がビデオ通話周波数を有するか判断する。第１通信装置のメディア能力情報がビデオ通話周波数を有するが、第２通信装置のメディア能力情報がビデオ通話周波数を有さない場合、第２通信装置は、第２通信装置のメディア能力情報と第１通信装置のメディア能力情報とが同じオーディオ通話周波数を有するか判断する。第２通信装置のメディア能力情報と第１通信装置のメディア能力情報とが同じオーディオ通話周波数を有する場合、第２通信装置はＳＤＰ応答メッセージを構成し、第２通信装置のメディア能力情報と第１通信装置のメディア能力情報とが同じオーディオ通話周波数を有さない場合、第２通信装置はＳＤＰ応答メッセージを構成せず、第１通信装置と第２通信装置との間の通話が確立失敗する。
【００７０】
例えば、第１通信装置のメディア能力情報が（ａ１，ａ２，ｖ１，ｖ２）を有するとき、任意的には、第１通信装置によって第２通信装置に送信されるビデオ通話リクエストは、第１通信装置のメディア能力情報においてオーディオ通話周波数とビデオ通話周波数との全てのグループを含み、すなわち、ビデオ通話リクエストは、第１通信装置のメディア能力情報（ａ１，ａ２，ｖ１，ｖ２）を含む。第１通信装置によって送信されたビデオ通話リクエストを受信すると、第２通信装置は、第２通信装置のメディア能力情報に従って、第２通信装置のメディア能力情報が第１通信装置のメディア能力情報に一致するか判断する。本実施例では、第２通信装置はカメラを有さないか、あるいは、それのカメラが異常状態にある、すなわち、第２通信装置のメディア能力情報がオーディオ通話周波数のみを有する。例えば、第２通信装置のオーディオ通話周波数がａ１であり、第２通信装置のメディア能力情報が第１通信装置のメディア能力情報に一致せず、第２通信装置のメディア能力情報と第１通信装置のメディア能力情報とが同じオーディオ通話周波数を有するとき、第２通信装置はＳＤＰ応答メッセージを構成し、ここで、ＳＤＰ応答メッセージのオーディオサポートフィールドはａ１であり、ビデオサポートフィールドはエンプティであり、第２通信装置のオーディオ通話周波数がａ２であり、第２通信装置のメディア能力情報が第１通信装置のメディア能力情報に一致せず、第２通信装置のメディア能力情報と第１通信装置のメディア能力情報とが同じオーディオ通話周波数を有するとき、第２通信装置はＳＤＰ応答メッセージを構成し、ここで、ＳＤＰ応答メッセージのオーディオサポートフィールドはａ２であり、ビデオサポートフィールドはエンプティであり、第２通信装置のオーディオ通話周波数がａ３であり、ａ３がａ１又はａ２に等しくなく、第２通信装置のメディア能力情報と第１通信装置のメディア能力情報とが同じオーディオ通話周波数を有さないとき、第２通信装置はＳＤＰ応答メッセージを構成せず、第１通信装置と第２通信装置との間の通話は確立に失敗する。
【００７１】
他の例では、第１通信装置のメディア能力情報が（ａ１，ａ２，ｖ１，ｖ２）を有するとき、第１通信装置によって第２通信装置に送信されるビデオ通話リクエストに含まれるメディア能力情報は、（ａ１，ｖ１）、（ａ２，ｖ１）、（ａ１，ｖ２）又は（ａ２，ｖ２）である。第２通信装置のメディア能力情報がａ２しか有していないと仮定する。第１通信装置によって第２通信装置に送信されるビデオ通話リクエストが第１通信装置のメディア能力情報（ａ１，ｖ１）を含むとき、第２通信装置のメディア能力情報と第１通信装置のメディア能力情報とは同じオーディオ通話周波数を有さず、これにより、通話が確立に失敗すると、第１通信装置は、（ａ２，ｖ２）を伝送するビデオ通話リクエストを第２通信装置に送信してもよい。第２通信装置が（ａ２，ｖ２）を含むビデオ通話リクエストを受信すると、メディア能力情報のマッチングの実行が続けられる。
【００７２】
２０３：第２通信装置は、１８０Ｒｉｎｇを第１通信装置に送信し、ここで、１８０ＲｉｎｇはＳＤＰ応答メッセージを含む。
【００７３】
１８０Ｒｉｎｇは、ＳＤＰ応答メッセージの構成が完了すると、第２通信装置によって第１通信装置に送信される応答メッセージである。
【００７４】
第２通信装置のメディア能力情報と第１通信装置のメディア能力情報とが同じオーディオ通話周波数を有するとき、第２通信装置は、ＳＤＰ応答メッセージを構成し、構成されたＳＤＰ応答メッセージを伝送する１８０Ｒｉｎｇを第１通信装置に送信する。
【００７５】
２０４：第１通信装置が第２通信装置によって送信された１８０Ｒｉｎｇを受信すると、ビデオ通話が確立される。
【００７６】
具体的には、第１通信装置が第２通信装置によって送信された１８０Ｒｉｎｇを受信すると、第１通信装置は第２通信装置のリングトーンを聴取することができ、このとき、第１通信装置と第２通信装置との間のビデオ通話の確立が完了する。
【００７７】
２０５：第２通信装置が抽出されると、第２通信装置は、２００ＯＫシグナリングを第１通信装置に送信する。
【００７８】
具体的には、２００は成功を示し、第２通信装置は、抽出されると２００ＯＫシグナリングを第１通信装置に送信する。
【００７９】
２０６：第１通信装置は、第２通信装置によって送信された２００ＯＫシグナリングを受信すると、アクノリッジメント信号ＡＣＫ（アクノリッジキャラクタ）を第２通信装置に送信する。
【００８０】
具体的には、ＡＣＫは、第１通信装置が第２通信装置の２００ＯＫシグナリングを受信したことを示すアクノリッジメント信号である。このとき、第１通信装置と第２通信装置との間でビデオ通話が確立される。
【００８１】
２０７：第１通信装置と第２通信装置との間でビデオデータが送信される。
【００８２】
具体的には、第２通信装置は、構成されたＳＤＰ応答メッセージを第１通信装置に送信し、ネットワークサーバは、オーディオ送信チャネルとビデオ送信チャネルとを第１通信装置と第２通信装置とに割り当て、第１通信装置と第２通信装置とは、割り当てられたオーディオ送信チャネルを介しオーディオデータを送信し、割り当てられたビデオ送信チャネルを介しビデオデータを送信する。
【００８３】
さらに、第１通信装置と第２通信装置との間でビデオ送信チャネルが確立されると、第１通信装置と第２通信装置との間でビデオデータが送信可能になるだけでなく、第１通信装置と第２通信装置との間でファイルが送信可能になり、さらに、第１通信装置と第２通信装置とはビデオ通話において他の機能を利用することができる。
【００８４】
本発明の本実施例において提供されるビデオデータ送信方法では、第２通信装置は、第１通信装置によって送信されたビデオ通話リクエストを受信し、ここで、ビデオ通話リクエストは第１通信装置のメディア能力情報を含み、第１通信装置のメディア能力情報が第２通信装置のメディア能力情報に一致するか判断し、第２通信装置のメディア能力情報が第１通信装置のメディア能力情報に一致せず、第２通信装置のメディア能力情報と第１通信装置のメディア能力情報とは同じオーディオ通話周波数を有するとき、セッション記述プロトコル（ＳＤＰ）応答メッセージを構成し、ここで、ＳＤＰ応答メッセージのビデオサポートフィールドのコンテンツはエンプティであり、ＳＤＰ応答メッセージのオーディオサポートフィールドは同じオーディオ通話周波数であり、第１通信装置と第２通信装置とがビデオデータを送信するように、ＳＤＰ応答メッセージを第１通信装置に送信する。本発明において提供される技術的手段を利用することによって、第２通信装置のメディア能力情報が第１通信装置のメディア能力情報に一致しないとき、ビデオデータ送信のための第１通信装置と第２通信装置との間のビデオ送信チャネルが依然として確立可能であり、さらに、第１通信装置と第２通信装置とはビデオ通話において他の機能を利用可能である。従来技術と比較して、第２通信装置のメディア能力情報が第１通信装置のメディア能力情報に一致しないときに通話が確立に失敗するという問題が回避される。
【００８５】
図３Ａ及び３Ｂは、本発明の実施例によるビデオデータ送信のシグナリング相互作用図である。本実施例では、第１通信装置はカメラを有さないか、又は第１通信装置のカメラは異常状態にあり、すなわち、第１通信装置はビデオ通信能力を有さず、第１通信装置のメディア能力情報はオーディオ通話周波数しか有さず、第２通信装置はカメラを有し、当該カメラは正常な作動状態にあり、すなわち、第２通信装置はビデオ通信能力を有し、第２通信装置のメディア能力情報は、オーディオ通話周波数とビデオ通話周波数とを有する。図３Ａ及び３Ｂを参照して、方法の処理は以下を含む。
【００８６】
３０１：第１通信装置は、ビデオ通話リクエストを第２通信装置に送信し、ここで、ビデオ通話リクエストは第１通信装置のメディア能力情報を含み、第１通信装置のメディア能力情報はオーディオ通話周波数しか有さない。
【００８７】
具体的には、第１通信装置はカメラを有さないか、又は第１通信装置のカメラは異常であるため、第１通信装置は、オーディオ通話しかサポートせず、ビデオ通話をサポートしない。第１通信装置はビデオ通信能力を有さず、すなわち、第１通信装置のメディア能力情報は、オーディオ通話周波数しか有さない。
【００８８】
３０２：第２通信装置は、第１通信装置によって送信されたビデオ通話リクエストを受信し、第１通信装置のメディア能力情報がビデオ通話周波数を有さず、第２通信装置のメディア能力情報と第１通信装置のメディア能力情報とが同じオーディオ通話周波数を有すると判断されると、ＳＤＰ応答メッセージを構成し、ここで、構成処理では、ＳＤＰ応答メッセージのビデオサポートフィールドはリザーブされ、ＳＤＰ応答メッセージのビデオサポートフィールドのコンテンツはエンプティに設定され、同じオーディオ通話周波数が、ＳＤＰ応答メッセージのオーディオサポートフィールドとして保存される。
【００８９】
具体的には、第１通信装置によって送信されるビデオ通話リクエストを受信すると、第２通信装置は、第１通信装置のメディア能力情報がビデオ通話周波数を有するか判断する。第１通信装置のメディア能力情報がビデオ通話周波数を有さず、第２通信装置のメディア能力情報がビデオ通話周波数を有する場合、第２通信装置は、第２通信装置のメディア能力情報と第１通信装置のメディア能力情報とが同じオーディオ通話周波数を有するか判断する。第２通信装置のメディア能力情報と第１通信装置のメディア能力情報とが同じオーディオ通話周波数を有する場合、第２通信装置はＳＤＰ応答メッセージを構成し、ここで、第２通信装置がＳＤＰ応答メッセージを構成しているとき、ＳＤＰ応答メッセージのビデオサポートフィールドはリザーブされ、ビデオサポートフィールドのコンテンツはエンプティに設定され、同じオーディオ通話周波数がＳＤＰ応答メッセージのオーディオサポートフィールドとして保存され、第２通信装置のメディア能力情報と第１通信装置のメディア能力情報とが同じオーディオ通話周波数を有さない場合、第２通信装置はＳＤＰ応答メッセージを構成せず、第１通信装置と第２通信装置との間の通話は確立に失敗する。
【００９０】
３０３：第２通信装置は、１８０Ｒｉｎｇを第１通信装置に送信し、ここで、１８０ＲｉｎｇはＳＤＰ応答メッセージを伝送する。
【００９１】
３０４：第１通信装置が第２通信装置によって送信された１８０Ｒｉｎｇを受信すると、ビデオ通話が確立される。
【００９２】
３０５：第２通信装置は、抽出されると、２００ＯＫシグナリングを第１通信装置に送信する。
【００９３】
３０６：第１通信装置は、第２通信装置によって送信された２００ＯＫシグナリングを受信すると、アクノリッジメント信号ＡＣＫを第２通信装置に送信する。
【００９４】
３０７：第１通信装置と第２通信装置との間でビデオデータが送信される。
【００９５】
具体的には、ステップ３０３〜３０７はステップ２０３〜２０７と同じであり、詳細はここでは再説明されない。
【００９６】
さらに、第１通信装置と第２通信装置との間でビデオ送信チャネルが確立されると、第１通信装置と第２通信装置との間でビデオデータが送信可能になるだけでなく、第１通信装置と第２通信装置との間でファイルが送信可能になり、さらに、第１通信装置と第２通信装置とはビデオ通話において他の機能を利用可能である。
【００９７】
本発明の本実施例において提供されるビデオデータ送信方法では、第２通信装置は第１通信装置によって送信されるビデオ通話リクエストを受信し、ここで、ビデオ通話リクエストは第１通信装置のメディア能力情報を含み、第１通信装置のメディア能力情報が第２通信装置のメディア能力情報に一致するか判断し、第２通信装置のメディア能力情報が第１通信装置のメディア能力情報に一致せず、第２通信装置のメディア能力情報と第１通信装置のメディア能力情報とが同じオーディオ通話周波数を有するとき、セッション記述プロトコル（ＳＤＰ）応答メッセージを構成し、ここで、ＳＤＰ応答メッセージのビデオサポートフィールドのコンテンツはエンプティであり、ＳＤＰ応答メッセージのオーディオサポートフィールドは同じオーディオ通話周波数であり、第１通信装置と第２通信装置とがビデオデータを送信するように、ＳＤＰ応答メッセージを第１通信装置に送信する。本発明において提供される技術的手段を利用することによって、第２通信装置のメディア能力情報が第１通信装置のメディア能力情報に一致しないとき、ビデオデータ送信のため第１通信装置と第２通信装置との間のビデオ送信チャネルが依然として確立可能であり、さらに、第１通信装置と第２通信装置とはビデオ通話において他の機能を利用可能である。従来技術と比較して、第２通信装置のメディア能力情報が第１通信装置のメディア能力情報に一致しないときに通話が確立に失敗する問題が回避される。
【００９８】
図４Ａ及び４Ｂは、本発明の実施例によるビデオデータ送信のシグナリング相互作用図である。本実施例では、第１通信装置はカメラを有し、当該カメラは正常な作動状態にあり、すなわち、第１通信装置はビデオ通信能力を有し、第１通信装置のメディア能力情報はオーディオ通話周波数とビデオ通話周波数とを有し、第２通信装置はカメラを有し、当該カメラは正常な作動状態にあり、すなわち、第２通信装置はビデオ通信能力を有し、第２通信装置のメディア能力情報はオーディオ通話周波数とビデオ通話周波数とを有し、第１通信装置のメディア能力情報と第２通信装置のメディア能力情報とは、同じビデオ通話周波数を有さない。図４Ａ及び４Ｂを参照して、方法の処理は以下を含む。
【００９９】
４０１：第１通信装置は、ビデオ通話リクエストを第２通信装置に送信し、ここで、ビデオ通話リクエストは第１通信装置のメディア能力情報を含み、第１通信装置のメディア能力情報はオーディオ通話周波数とビデオ通話周波数とを有する。
【０１００】
具体的には、第１通信装置がビデオ通信能力を有するため、第１通信装置のメディア能力情報は、オーディオ通話周波数とビデオ通話周波数とを有する。
【０１０１】
ビデオ通話リクエストは、第１通信装置のメディア能力情報を含み、ここで、メディア能力情報は（ａ１，ｖ１）を有する。
【０１０２】
４０２：第２通信装置は、第１通信装置によって送信されるビデオ通話リクエストを受信し、第２通信装置のメディア能力情報と第１通信装置のメディア能力情報とが同じビデオ通話周波数を有さず、第２通信装置のメディア能力情報と第１通信装置のメディア能力情報とが同じオーディオ通話周波数を有するとき、ＳＤＰ応答メッセージを構成し、ここで、構成処理では、ＳＤＰ応答メッセージのビデオサポートフィールドはリザーブされ、ＳＤＰ応答メッセージのビデオサポートフィールドのコンテンツはエンプティに設定され、同じオーディオ通話周波数がＳＤＰ応答メッセージのオーディオサポートフィールドとして保存される。
【０１０３】
具体的には、第１通信装置によって送信されるビデオ通話リクエストを受信すると、第２通信装置は、第１通信装置のメディア能力情報がビデオ通話周波数を有するか判断する。第１通信装置のメディア能力情報がビデオ通話周波数を有し、第２通信装置のメディア能力情報がビデオ通話周波数を有する場合、第２通信装置は、第２通信装置のメディア能力情報と第１通信装置のメディア能力情報とが同じビデオ通話周波数を有するか、及び第２通信装置のメディア能力情報と第１通信装置のメディア能力情報とが同じオーディオ通話周波数を有するか判断する。第２通信装置のメディア能力情報と第１通信装置のメディア能力情報とが同じオーディオ通話周波数を有し、第２通信装置のメディア能力情報と第１通信装置のメディア能力情報とが同じビデオ通話周波数を有さない場合、第２通信装置のメディア能力情報は第１通信装置のメディア能力情報に一致しない。
【０１０４】
例えば、第１通信装置のメディア能力情報が（ａ１，ｖ１）を有し、第２通信装置のメディア能力情報が（ａ１，ｖ２）を有するとき、第２通信装置のメディア能力情報と第１通信装置のメディア能力情報とが同じオーディオ通話周波数を有し、第２通信装置のメディア能力情報と第１通信装置のメディア能力情報とが同じビデオ通話周波数を有さない。このとき、第１通信装置のメディア能力情報は第２通信装置のメディア能力情報に一致しない。しかしながら、第２通信装置のメディア能力情報と第１通信装置のメディア能力情報とは同じオーディオ通話周波数を有し、このとき、第２通信装置はＳＤＰ応答メッセージを構成し、ここで、ＳＤＰ応答メッセージのオーディオサポートフィールドはａ１であり、ビデオサポートフィールドのコンテンツはエンプティである。
【０１０５】
しかしながら、第１通信装置のメディア能力情報が（ａ１，ｖ１）を有し、第２通信装置のメディア能力情報が（ａ２，ｖ２）を有する場合、第２通信装置のメディア能力情報と第１通信装置のメディア能力情報とは同じオーディオ通話周波数を有さず、第２通信装置のメディア能力情報と第１通信装置のメディア能力情報とは同じビデオ通話周波数を有さず、このとき、第１通信装置と第２通信装置との間の通話は確立に失敗する。
【０１０６】
４０３：第２通信装置は、１８０Ｒｉｎｇを第１通信装置に送信し、１８０ＲｉｎｇはＳＤＰ応答メッセージを含む。
【０１０７】
４０４：第１通信装置が第２通信装置によって送信された１８０Ｒｉｎｇを受信すると、ビデオ通話が確立される。
【０１０８】
４０５：第２通信装置は、抽出されると、２００ＯＫシグナリングを第１通信装置に送信する。
【０１０９】
４０６：第１通信装置は、第２通信装置によって送信された２００ＯＫシグナリングを受信すると、アクノリッジメント信号ＡＣＫを第２通信装置に送信する。
【０１１０】
４０７：第１通信装置と第２通信装置との間でビデオデータが送信される。
【０１１１】
具体的には、ステップ４０３〜４０７はステップ２０３〜２０７と同じであり、詳細はここでは再説明されない。
【０１１２】
さらに、第１通信装置と第２通信装置との間でビデオ送信チャネルが確立されると、第１通信装置と第２通信装置との間でビデオデータが送信可能になるだけでなく、第１通信装置と第２通信装置との間でファイルが送信可能になり、さらに、第１通信装置と第２通信装置はビデオ通話において他の機能を利用できる。
【０１１３】
本発明の本実施例において提供されるビデオデータ送信方法では、第２通信装置は、第１通信装置によって送信されたビデオ通話リクエストを受信し、当該ビデオ通話リクエストは第１通信装置のメディア能力情報を有し、第１通信装置のメディア能力情報は第２通信装置のメディア能力情報に一致するか判断し、第２通信装置のメディア能力情報が第１通信装置のメディア能力情報に一致せず、第２通信装置のメディア能力情報と第１通信装置のメディア能力情報とが同じオーディオ通話周波数を有するとき、セッション記述プロトコル（ＳＤＰ）応答メッセージを構成し、ここで、ＳＤＰ応答メッセージのビデオサポートフィールドのコンテンツはエンプティであり、ＳＤＰ応答メッセージのオーディオサポートフィールドは同じオーディオ通話周波数を有し、第１通信装置と第２通信装置とがビデオデータを送信するように、ＳＤＰ応答メッセージを第１通信装置に送信する。本発明において提供される技術的手段を利用することによって、第２通信装置のメディア能力情報が第１通信装置のメディア能力情報に一致しないとき、ビデオデータ送信について第１通信装置と第２通信装置との間のビデオ送信チャネルが依然として確立可能であり、さらに、第１通信装置と第２通信装置とはビデオ通話において他の機能を利用できる。従来技術と比較して、第２通信装置のメディア能力情報が第１通信装置のメディア能力情報に一致しないときに通話が確立に失敗する問題が回避される。
【０１１４】
図５Ａ及び５Ｂは、本発明の実施例によるビデオデータ送信のシグナリング相互作用図である。本実施例では、第１通信装置はカメラを有さないか、あるいは、第１通信装置のカメラは異常状態にあり、すなわち、第１通信装置はビデオ通信能力を有さず、第１通信装置のメディア能力情報はオーディオ通話周波数しか有さず、第２通信装置はカメラを有さないか、あるいは、第２通信装置のカメラは異常状態にあり、第２通信装置はビデオ通信能力を有さず、第２通信装置のメディア能力情報はオーディオ通話周波数しか有さない。図５Ａ及び５Ｂを参照して、方法の処理は以下を含む。
【０１１５】
５０１：第１通信装置は、ビデオ通話リクエストを第２通信装置に送信し、ここで、当該ビデオ通話リクエストは第１通信装置のメディア能力情報を含み、第１通信装置のメディア能力情報はオーディオ通話周波数しか有さない。
【０１１６】
具体的には、第１通信装置はビデオ通信能力を有さないため、第１通信装置のメディア能力情報はオーディオ通話周波数しか有さない。
【０１１７】
５０２：第２通信装置は、第１通信装置によって送信されたビデオ通話リクエストを受信し、第１通信装置のメディア能力情報がビデオ通話周波数を有さず、第２通信装置のメディア能力情報と第１通信装置のメディア能力情報とが同じオーディオ通話周波数を有すると判断すると、ＳＤＰ応答メッセージを構成し、ここで、構成処理では、ＳＤＰ応答メッセージのビデオサポートフィールドはリザーブされ、ＳＤＰ応答メッセージのビデオサポートフィールドのコンテンツはエンプティに設定され、同じオーディオ通話周波数がＳＤＰ応答メッセージのオーディオサポートフィールドとして保存される。
【０１１８】
具体的には、第１通信装置によって送信されたビデオ通話リクエストを受信すると、第２通信装置は、第１通信装置のメディア能力情報がビデオ通話周波数を有するか判断する。第１通信装置のメディア能力情報がビデオ通話周波数を有さない場合、第２通信装置のメディア能力情報もまたビデオ通話周波数を有さないため、第２通信装置は、第２通信装置のメディア能力情報と第１通信装置のメディア能力情報とが同じオーディオ通話周波数を有するか判断する。第２通信装置のメディア能力情報と第１通信装置のメディア能力情報とが同じオーディオ通話周波数を有する場合、第２通信装置は、ＳＤＰ応答メッセージを構成し、ここで、ＳＤＰ応答メッセージのオーディオサポートフィールドは同じオーディオ通話周波数であり、ビデオサポートフィールドがリザーブされ、ビデオサポートフィールドのコンテンツはエンプティであり、第２通信装置のメディア能力情報と第１通信装置のメディア能力情報とが同じオーディオ通話周波数を有さない場合、第２通信装置はＳＤＰ応答メッセージを構成せず、第１通信装置と第２通信装置との間の通話は確立できない。
【０１１９】
５０３：第２通信装置は、１８０Ｒｉｎｇを第１通信装置に送信し、ここで、１８０ＲｉｎｇはＳＤＰ応答メッセージを含む。
【０１２０】
５０４：第１通信装置が第２通信装置によって送信された１８０Ｒｉｎｇを受信すると、ビデオ通話が確立される。
【０１２１】
５０５：第２通信装置は、抽出されると、２００ＯＫシグナリングを第１通信装置に送信する。
【０１２２】
５０６：第１通信装置は、第２通信装置によって送信された２００ＯＫシグナリングを受信すると、アクノリッジメント信号ＡＣＫを第２通信装置に送信する。
【０１２３】
５０７：第１通信装置と第２通信装置との間でビデオデータが送信される。
【０１２４】
具体的には、ステップ５０３〜５０７はステップ２０３〜２０７と同じであり、詳細はここでは再説明されない。
【０１２５】
さらに、第１通信装置と第２通信装置との間でビデオ送信チャネルが確立されると、第１通信装置と第２通信装置との間でビデオデータが送信可能になるだけでなく、第１通信装置と第２通信装置との間でファイルが送信可能になり、さらに、第１通信装置と第２通信装置とはビデオ通話において他の機能を利用できる。
【０１２６】
本発明の本実施例において提供されるビデオデータ送信方法では、第２通信装置は、第１通信装置によって送信されたビデオ通話リクエストを受信し、ここで、当該ビデオ通話リクエストは第１通信装置のメディア能力情報を含み、第１通信装置のメディア能力情報が第２通信装置のメディア能力情報に一致するか判断し、第２通信装置のメディア能力情報が第１通信装置のメディア能力情報に一致せず、第２通信装置のメディア能力情報と第１通信装置のメディア能力情報とが同じオーディオ通話周波数を有するとき、セッション記述プロトコル（ＳＤＰ）応答メッセージを構成し、ここで、ＳＤＰ応答メッセージのビデオサポートフィールドのコンテンツはエンプティであり、ＳＤＰ応答メッセージのオーディオサポートフィールドは同じオーディオ通話周波数であり、第１通信装置と第２通信装置とがビデオデータを送信するように、ＳＤＰ応答メッセージを第１通信装置に送信する。本発明において提供された技術的手段を利用することによって、第２通信装置のメディア能力情報が第１通信装置のメディア能力情報に一致しないとき、ビデオデータ送信のための第１通信装置と第２通信装置との間でビデオ送信チャネルが依然として確立可能であり、さらに、第１通信装置と第２通信装置とはビデオ通話において他の機能を利用できる。従来技術と比較して、第２通信装置のメディア能力情報が第１通信装置のメディア能力情報に一致しないときに通話が確立に失敗するという問題が回避される。
【０１２７】
図６は、本発明の実施例によるビデオデータ送信装置の概略的な構成図である。図６を参照して、当該装置は、
第１通信装置によって送信されたビデオ通話リクエストを受信するよう構成される受信モジュール１０であって、ビデオ通話リクエストは第１通信装置のメディア能力情報を伝送する、受信モジュール１０と、
ローカル通信装置のメディア能力情報が第１通信装置のメディア能力情報に一致するか判断するよう構成される判定モジュール２０と、
ローカル通信装置のメディア能力情報が第１通信装置のメディア能力情報に一致せず、ローカル通信装置のメディア能力情報と第１通信装置のメディア能力情報とが同じオーディオ通話周波数を有するとき、セッション記述プロトコル（ＳＤＰ）応答メッセージを構成するよう構成される構成モジュール３０であって、ＳＤＰ応答メッセージのビデオサポートフィールドのコンテンツはエンプティであり、ＳＤＰ応答メッセージのオーディオサポートフィールドは同じオーディオ通話周波数である、構成モジュール３０と、
第１通信装置とローカル通信装置とがビデオデータを送信するように、ＳＤＰ応答メッセージを第１通信装置に送信するよう構成される送信モジュール４０と、
を有する。
【０１２８】
任意的には、構成モジュール３０は、具体的には、ローカル通信装置のメディア能力情報と第１通信装置のメディア能力情報とが同じオーディオ通話周波数を有し、ローカル通信装置のメディア能力情報と第１通信装置のメディア能力情報とが同じビデオ通話周波数を有さないとき、ＳＤＰ応答メッセージを構成するよう構成され、ＳＤＰ応答メッセージのオーディオサポートフィールドは同じオーディオ通話周波数を有し、ビデオサポートフィールドはリザーブされ、ビデオサポートフィールドのコンテンツはエンプティである。
【０１２９】
構成モジュール３０は更に、具体的には、ローカル通信装置のメディア能力情報と第１通信装置のメディア能力情報とが同じオーディオ通話周波数を有し、ローカル通信装置のメディア能力情報と第１通信装置のメディア能力情報との何れもがビデオ通話周波数を有さないとき、ＳＤＰ応答メッセージを構成するよう構成され、ＳＤＰ応答メッセージのオーディオサポートフィールドは同じオーディオ通話周波数であり、ビデオサポートフィールドはリザーブされ、ビデオサポートフィールドのコンテンツはエンプティである。
【０１３０】
任意的には、判定モジュール２０は、
第１通信装置のメディア能力情報がビデオ通話周波数を有するか判断するよう構成される判定ユニットと、
第１通信装置のメディア能力情報がビデオ通話周波数を有さない場合、ローカル通信装置のメディア能力情報が第１通信装置のメディア能力情報に一致しないと判断するよう構成されるマッチング判断ユニットと、
を有し、
マッチング判断ユニットは更に、第１通信装置のメディア能力情報がビデオ通話周波数を有する場合、ローカル通信装置のメディア能力情報がビデオ通話周波数を有するか判断するよう構成され、ローカル通信装置のメディア能力情報がビデオ通話周波数を有さない場合、ローカル通信装置のメディア能力情報は第１通信装置のメディア能力情報に一致しない。
【０１３１】
任意的には、判定モジュールは更に、ローカル通信装置のメディア能力情報がビデオ通話周波数を有さない場合、ローカル通信装置のメディア能力情報と第１通信装置のメディア能力情報とが同じオーディオ通話周波数を有するか、及びローカル通信装置のメディア能力情報と第１通信装置のメディア能力情報とが同じビデオ通話周波数を有するか判断するよう構成される。
【０１３２】
マッチング判断ユニットは更に、ローカル通信装置のメディア能力情報と第１通信装置のメディア能力情報とが同じオーディオ通話周波数を有し、ローカル通信装置のメディア能力情報と第１通信装置のメディア能力情報とが同じビデオ通話周波数を有さない場合、ローカル通信装置のメディア能力情報は第１通信装置のメディア能力情報に一致すると判断するよう構成される。
【０１３３】
マッチング判断ユニットは更に、ローカル通信装置のメディア能力情報と第１通信装置のメディア能力情報とが同じオーディオ通話周波数を有し、ローカル通信装置のメディア能力情報と第１通信装置のメディア能力情報とが同じビデオ通話周波数を有さない場合、ローカル通信装置のメディア能力情報が第１通信装置のメディア能力情報に一致しないと判断するよう構成される。
【０１３４】
上記の実施例において提供されるビデオデータ送信装置がビデオデータを送信するとき、上記の機能モジュールの分割は説明のための一例として単に用いられ、実際の適用では、上記の機能は要件に従って完備するよう異なる機能モジュールに割り当てられてもよく、すなわち、当該装置の内部構造は、上述した機能の全て又は一部を完備するよう異なる機能モジュールに分割される。さらに、上記の実施例によって提供されるビデオデータ送信装置は、ビデオデータ送信方法の実施例と同じコンセプトに関し、ビデオデータ送信装置の特定の実現形態の処理について当該方法の実施例が参照されてもよく、ここでは再説明されない。
【０１３５】
本発明の本実施例において提供されるビデオデータ送信装置において、受信モジュールは、第１通信装置によって送信されたビデオ通話リクエストを受信し、ここで、ビデオ通話リクエストは第１通信装置のメディア能力情報を含み、判定モジュールは、第１通信装置のメディア能力情報がローカル通信装置のメディア能力情報に一致するか判断し、構成モジュールは、ローカル通信装置のメディア能力情報が第１通信装置のメディア能力情報に一致せず、ローカル通信装置のメディア能力情報と第１通信装置のメディア能力情報とが同じオーディオ通話周波数を有するとき、セッション記述プロトコル（ＳＤＰ）応答メッセージを構成し、ここで、ＳＤＰ応答メッセージのビデオサポートフィールドのコンテンツはエンプティであり、ＳＤＰ応答メッセージのオーディオサポートフィールドは同じオーディオ通話周波数を有し、送信モジュールは、第１通信装置とローカル通信装置とがビデオデータを送信するように、ＳＤＰ応答メッセージを第１通信装置に送信する。本発明において提供される技術的手段を利用することによって、ローカル通信装置のメディア能力情報が第１通信装置のメディア能力情報に一致しないとき、第１通信装置とローカル通信装置との間のビデオデータ送信のためのビデオ送信チャネルが依然として確立でき、さらに、第１通信装置とローカル通信装置とはビデオ通話において他の機能を利用できる。従来技術と比較して、ローカル通信装置のメディア能力情報が第１通信装置のメディア能力情報に一致しないときに通話が確立に失敗するという問題が回避される。
【０１３６】
当業者は、上記の実施例のステップの全て又は一部がハードウェア又は関連するハードウェアに指示するプログラムによって実現されてもよいことを理解してもよい。当該プログラムは、コンピュータ可読記憶媒体に格納されてもよい。当該記憶媒体は、ＲＯＭ、磁気ディスク又は光ディスクを含むものであってもよい。
【０１３７】
図７は、本発明の実施例による通信装置の概略的な構成図である。図７を参照して、通信装置は、受信機７１、送信機７２及びプロセッサ７３を有し、受信機７１はプロセッサ７２に接続され、プロセッサ７２は送信機７３に接続される。
【０１３８】
受信機７１は、第１通信装置により送信されたビデオ通話リクエストを受信するよう構成され、ビデオ通話リクエストは第１通信装置のメディア能力情報を含む。
【０１３９】
プロセッサ７２は、ローカル通信装置のメディア能力情報が第１通信装置のメディア能力情報に一致するか判断するよう構成される。
【０１４０】
プロセッサ７２は更に、ローカル通信装置のメディア能力情報が第１通信装置のメディア能力情報に一致せず、及びローカル通信装置のメディア能力情報と第１通信装置のメディア能力情報とが同じオーディオ通話周波数を有するとき、セッション記述プロトコル（ＳＤＰ）応答メッセージを構成するよう構成され、ここで、ＳＤＰ応答メッセージのビデオサポートフィールドのコンテンツはエンプティであり、ＳＤＰ応答メッセージのオーディオサポートフィールドは同じオーディオ通話周波数である。
【０１４１】
送信機７３は、第１通信装置とローカル通信装置とがビデオデータを送信するように、ＳＤＰ応答メッセージを第１通信装置に送信するよう構成される。
【０１４２】
任意的には、プロセッサ７２は更に、具体的には、ローカル通信装置のメディア能力情報と第１通信装置のメディア能力情報とが同じオーディオ通話周波数を有し、ローカル通信装置のメディア能力情報と第１通信装置のメディア能力情報とが同じビデオ通話周波数を有さないとき、ＳＤＰ応答メッセージを構成するよう構成され、ここで、ＳＤＰ応答メッセージのオーディオサポートフィールドは同じオーディオ通話周波数であり、ビデオサポートフィールドはリザーブされ、ビデオサポートフィールドのコンテンツはエンプティである。
【０１４３】
プロセッサ７２は更に、具体的には、ローカル通信装置のメディア能力情報と第１通信装置のメディア能力情報とが同じオーディオ通話周波数を有し、ローカル通信装置のメディア能力情報と第１通信装置のメディア能力情報とが何れもビデオ通話周波数を有さないとき、ＳＤＰ応答メッセージを構成するよう構成され、ここで、ＳＤＰ応答メッセージのオーディオサポートフィールドは同じオーディオ通話周波数であり、ビデオサポートフィールドはリザーブされ、ビデオサポートフィールドのコンテンツはエンプティである。
【０１４４】
任意的には、プロセッサ７２は更に、第１通信装置のメディア能力情報がビデオ通話周波数を有するか判断し、ここで、第１通信装置のメディア能力情報がビデオ通話周波数を有さない場合、ローカル通信装置のメディア能力情報は第１通信装置のメディア能力情報に一致せず、第１通信装置のメディア能力情報がビデオ通話周波数を有する場合、ローカル通信装置のメディア能力情報がビデオ通話周波数を有するか判断し、ここで、ローカル通信装置のメディア能力情報がビデオ通話周波数を有さない場合、ローカル通信装置のメディア能力情報は第１通信装置のメディア能力情報に一致しない。
【０１４５】
任意的には、プロセッサ７２は更に、ローカル通信装置のメディア能力情報がビデオ通話周波数を有する場合、ローカル通信装置のメディア能力情報と第１通信装置のメディア能力情報とが同じオーディオ通話周波数を有するか、及びローカル通信装置のメディア能力情報と第１通信装置のメディア能力情報とが同じビデオ通話周波数を有するか判断するよう構成され、ここで、ローカル通信装置のメディア能力情報と第１通信装置のメディア能力情報とが同じオーディオ通話周波数を有し、ローカル通信装置のメディア能力情報と第１通信装置のメディア能力情報とが同じビデオ通話周波数を有さない場合、ローカル通信装置のメディア能力情報は第１通信装置のメディア能力情報に一致し、ローカル通信装置のメディア能力情報と第１通信装置のメディア能力情報とが同じオーディオ通話周波数を有し、ローカル通信装置のメディア能力情報と第１通信装置のメディア能力情報とが同じビデオ通話周波数を有さない場合、ローカル通信装置のメディア能力情報は第１通信装置のメディア能力情報に一致しない。
【０１４６】
上記の説明は、本発明の単なる実施例であり、本発明を限定することを意図していない。本発明の趣旨及び原理から逸脱することなく行われる何れかの修正、均等な置換及び改良は、本発明の保護範囲内に属する。
【図１】
2015534309.tif 000003
【図２Ａ】
2015534309.tif 000004
【図２Ｂ】
2015534309.tif 000005
【図３Ａ】
2015534309.tif 000006
【図３Ｂ】
2015534309.tif 000007
【図４Ａ】
2015534309.tif 000008
【図４Ｂ】
2015534309.tif 000009
【図５Ａ】
2015534309.tif 000010
【図５Ｂ】
2015534309.tif 000011
【図６】
2015534309.tif 000012
【図７】
2015534309.tif 000013
【手続補正書】
【提出日】平成27年2月26日(2015.2.26)
【手続補正１】
【補正対象書類名】特許請求の範囲
【補正対象項目名】全文
【補正方法】変更
【補正の内容】
【特許請求の範囲】
【請求項１】
ビデオデータ送信方法であって、
第２通信装置が、第１通信装置によって送信されたビデオ通話リクエストを受信するステップであって、前記ビデオ通話リクエストは前記第１通信装置のメディア能力情報を含む、受信するステップと、
前記第２通信装置のメディア能力情報が前記第１通信装置のメディア能力情報に一致するか判断するステップと、
前記第２通信装置のメディア能力情報が前記第１通信装置のメディア能力情報に一致せず、前記第２通信装置のメディア能力情報と前記第１通信装置のメディア能力情報とが同じオーディオ通話周波数を有するとき、セッション記述プロトコル（ＳＤＰ）応答メッセージを構成するステップであって、前記ＳＤＰ応答メッセージのビデオサポートフィールドのコンテンツはエンプティであり、前記ＳＤＰ応答メッセージのオーディオサポートフィールドは前記同じオーディオ通話周波数である、構成するステップと、
前記第１通信装置と前記第２通信装置とがビデオデータを送信するように、前記ＳＤＰ応答メッセージを前記第１通信装置に送信するステップと、
を有する方法。
【請求項２】
前記第２通信装置のメディア能力情報が前記第１通信装置のメディア能力情報に一致せず、前記第２通信装置のメディア能力情報と前記第１通信装置のメディア能力情報とが同じオーディオ通話周波数を有するとき、セッション記述プロトコル（ＳＤＰ）応答メッセージを構成するステップであって、前記ＳＤＰ応答メッセージのビデオサポートフィールドのコンテンツはエンプティであり、前記ＳＤＰ応答メッセージのオーディオサポートフィールドは前記同じオーディオ通話周波数である、構成するステップは、
前記第２通信装置のメディア能力情報と前記第１通信装置のメディア能力情報とが同じオーディオ通話周波数を有し、前記第２通信装置のメディア能力情報と前記第１通信装置のメディア能力情報とが同じビデオ通話周波数を有さないとき、前記ＳＤＰ応答メッセージを構成するステップであって、前記ＳＤＰ応答メッセージのオーディオサポートフィールドは前記同じオーディオ通話周波数であり、前記ビデオサポートフィールドはリザーブされ、前記ビデオサポートフィールドのコンテンツはエンプティである、構成するステップ、又は
前記第２通信装置のメディア能力情報と前記第１通信装置のメディア能力情報とが同じオーディオ通話周波数を有し、前記第２通信装置のメディア能力情報と前記第１通信装置のメディア能力情報との何れもビデオ通話周波数を有さないとき、前記ＳＤＰ応答メッセージを構成するステップであって、前記ＳＤＰ応答メッセージのオーディオサポートフィールドは前記同じオーディオ通話周波数であり、前記ビデオサポートフィールドはリザーブされ、前記ビデオサポートフィールドのコンテンツはエンプティである、構成するステップ、
を有する、請求項１記載の方法。
【請求項３】
前記第２通信装置のメディア能力情報が前記第１通信装置のメディア能力情報に一致するか判断するステップは、
前記第１通信装置のメディア能力情報がビデオ通話周波数を有するか判断するステップであって、前記第１通信装置のメディア能力情報がビデオ通話周波数を有さない場合、前記第２通信装置のメディア能力情報は前記第１通信装置のメディア能力情報に一致しない、判断するステップと、
前記第１通信装置のメディア能力情報がビデオ通話周波数を有する場合、前記第２通信装置のメディア能力情報がビデオ通話周波数を有するか判断するステップであって、前記第２通信装置のメディア能力情報がビデオ通話周波数を有さない場合、前記第２通信装置のメディア能力情報は前記第１通信装置のメディア能力情報に一致しない、判断するステップと、
を有する、請求項１記載の方法。
【請求項４】
前記第１通信装置のメディア能力情報がビデオ通話周波数を有する場合、前記第２通信装置のメディア能力情報がビデオ通話周波数を有するか判断するステップの後、
当該方法は更に、
前記第２通信装置のメディア能力情報がビデオ通話周波数を有する場合、前記第２通信装置のメディア能力情報と前記第１通信装置のメディア能力情報とが同じオーディオ通話周波数を有するか、及び前記第２通信装置のメディア能力情報と前記第１通信装置のメディア能力情報とが同じビデオ通話周波数を有するか判断するステップを有し、
前記第２通信装置のメディア能力情報と前記第１通信装置のメディア能力情報とが同じオーディオ通話周波数を有し、前記第２通信装置のメディア能力情報と前記第１通信装置のメディア能力情報とが同じビデオ通話周波数を有する場合、前記第２通信装置のメディア能力情報は前記第１通信装置のメディア能力情報に一致し、
前記第２通信装置のメディア能力情報と前記第１通信装置のメディア能力情報とが同じオーディオ通話周波数を有し、前記第２通信装置のメディア能力情報と前記第１通信装置のメディア能力情報とが同じビデオ通話周波数を有さない場合、前記第２通信装置のメディア能力情報は前記第１通信装置のメディア能力情報に一致しない、請求項３記載の方法。
【請求項５】
第１通信装置によって送信されたビデオ通話リクエストを受信するよう構成される受信モジュールであって、前記ビデオ通話リクエストは前記第１通信装置のメディア能力情報を伝送する、受信モジュールと、
ローカル通信装置のメディア能力情報が前記第１通信装置のメディア能力情報に一致するか判断するよう構成される判定モジュールと、
前記ローカル通信装置のメディア能力情報が前記第１通信装置のメディア能力情報に一致せず、前記ローカル通信装置のメディア能力情報と前記第１通信装置のメディア能力情報とが同じオーディオ通話周波数を有するとき、セッション記述プロトコル（ＳＤＰ）応答メッセージを構成するよう構成される構成モジュールであって、前記ＳＤＰ応答メッセージのビデオサポートフィールドのコンテンツはエンプティであり、前記ＳＤＰ応答メッセージのオーディオサポートフィールドは前記同じオーディオ通話周波数である、構成モジュールと、
前記第１通信装置と前記ローカル通信装置とがビデオデータを送信するように、前記ＳＤＰ応答メッセージを前記第１通信装置に送信するよう構成される送信モジュールと、
を有するビデオデータ送信装置。
【請求項６】
前記構成モジュールは、前記ローカル通信装置のメディア能力情報と前記第１通信装置のメディア能力情報とが同じオーディオ通話周波数を有し、前記ローカル通信装置のメディア能力情報と前記第１通信装置のメディア能力情報とが同じビデオ通話周波数を有さないとき、前記ＳＤＰ応答メッセージを構成するよう構成され、前記ＳＤＰ応答メッセージのオーディオサポートフィールドは前記同じオーディオ通話周波数を有し、前記ビデオサポートフィールドはリザーブされ、前記ビデオサポートフィールドのコンテンツはエンプティであり、又は、
前記構成モジュールは更に、前記ローカル通信装置のメディア能力情報と前記第１通信装置のメディア能力情報とが同じオーディオ通話周波数を有し、前記ローカル通信装置のメディア能力情報と前記第１通信装置のメディア能力情報との何れもがビデオ通話周波数を有さないとき、前記ＳＤＰ応答メッセージを構成するよう構成され、前記ＳＤＰ応答メッセージのオーディオサポートフィールドは前記同じオーディオ通話周波数であり、前記ビデオサポートフィールドはリザーブされ、前記ビデオサポートフィールドのコンテンツはエンプティである、請求項５記載の装置。
【請求項７】
前記判定モジュールは、
前記第１通信装置のメディア能力情報がビデオ通話周波数を有するか判断するよう構成される判定ユニットと、
前記第１通信装置のメディア能力情報がビデオ通話周波数を有さない場合、前記ローカル通信装置のメディア能力情報が前記第１通信装置のメディア能力情報に一致しないと判断するよう構成されるマッチング判断ユニットと、
を有し、
前記マッチング判断ユニットは更に、前記第１通信装置のメディア能力情報がビデオ通話周波数を有する場合、前記ローカル通信装置のメディア能力情報がビデオ通話周波数を有するか判断するよう構成され、前記ローカル通信装置のメディア能力情報がビデオ通話周波数を有さない場合、前記ローカル通信装置のメディア能力情報は前記第１通信装置のメディア能力情報に一致しない、請求項５記載の装置。
【請求項８】
前記判定モジュールは更に、前記ローカル通信装置のメディア能力情報がビデオ通話周波数を有する場合、前記ローカル通信装置のメディア能力情報と前記第１通信装置のメディア能力情報とが同じオーディオ通話周波数を有するか、及び前記ローカル通信装置のメディア能力情報と前記第１通信装置のメディア能力情報とが同じビデオ通話周波数を有するか判断するよう構成され、
前記マッチング判断ユニットは更に、前記ローカル通信装置のメディア能力情報と前記第１通信装置のメディア能力情報とが同じオーディオ通話周波数を有し、前記ローカル通信装置のメディア能力情報と前記第１通信装置のメディア能力情報とが同じビデオ通話周波数を有する場合、前記ローカル通信装置のメディア能力情報が前記第１通信装置のメディア能力情報に一致すると判断するよう構成され、
前記マッチング判断ユニットは更に、前記ローカル通信装置のメディア能力情報と前記第１通信装置のメディア能力情報とが同じオーディオ通話周波数を有し、前記ローカル通信装置のメディア能力情報と前記第１通信装置のメディア能力情報とが同じビデオ通話周波数を有さない場合、前記ローカル通信装置のメディア能力情報が前記第１通信装置のメディア能力情報に一致しないと判断するよう構成される、請求項７記載の装置。
【請求項９】
受信機、送信機及びプロセッサを有する通信装置であって、
前記受信機は前記プロセッサに接続され、前記プロセッサは前記送信機に接続され、
前記受信機は、第１通信装置により送信されたビデオ通話リクエストを受信するよう構成され、前記ビデオ通話リクエストは前記第１通信装置のメディア能力情報を含み、
前記プロセッサは、ローカル通信装置のメディア能力情報が前記第１通信装置のメディア能力情報に一致するか判断するよう構成され、
前記プロセッサは更に、前記ローカル通信装置のメディア能力情報が前記第１通信装置のメディア能力情報に一致せず、及び前記ローカル通信装置のメディア能力情報と前記第１通信装置のメディア能力情報とが同じオーディオ通話周波数を有するとき、セッション記述プロトコル（ＳＤＰ）応答メッセージを構成するよう構成され、前記ＳＤＰ応答メッセージのビデオサポートフィールドのコンテンツはエンプティであり、前記ＳＤＰ応答メッセージのオーディオサポートフィールドは前記同じオーディオ通話周波数であり、
前記送信機は、前記第１通信装置と前記ローカル通信装置とがビデオデータを送信するように、前記ＳＤＰ応答メッセージを前記第１通信装置に送信するよう構成される通信装置。
【請求項１０】
前記プロセッサは更に、前記ローカル通信装置のメディア能力情報と前記第１通信装置のメディア能力情報とが同じオーディオ通話周波数を有し、前記ローカル通信装置のメディア能力情報と前記第１通信装置のメディア能力情報とが同じビデオ通話周波数を有さないとき、前記ＳＤＰ応答メッセージを構成するよう構成され、前記ＳＤＰ応答メッセージのオーディオサポートフィールドは前記同じオーディオ通話周波数であり、前記ビデオサポートフィールドはリザーブされ、前記ビデオサポートフィールドのコンテンツはエンプティであり、又は、
前記プロセッサは更に、前記ローカル通信装置のメディア能力情報と前記第１通信装置のメディア能力情報とが同じオーディオ通話周波数を有し、前記ローカル通信装置のメディア能力情報と前記第１通信装置のメディア能力情報とが何れもビデオ通話周波数を有さないとき、前記ＳＤＰ応答メッセージを構成するよう構成され、前記ＳＤＰ応答メッセージのオーディオサポートフィールドは前記同じオーディオ通話周波数であり、前記ビデオサポートフィールドはリザーブされ、前記ビデオサポートフィールドのコンテンツはエンプティである、請求項９記載の通信装置。
【請求項１１】
前記プロセッサは更に、前記第１通信装置のメディア能力情報がビデオ通話周波数を有するか判断し、前記第１通信装置のメディア能力情報がビデオ通話周波数を有さない場合、前記ローカル通信装置のメディア能力情報は前記第１通信装置のメディア能力情報に一致せず、前記第１通信装置のメディア能力情報がビデオ通話周波数を有する場合、前記ローカル通信装置のメディア能力情報がビデオ通話周波数を有するか判断し、前記ローカル通信装置のメディア能力情報がビデオ通話周波数を有さない場合、前記ローカル通信装置のメディア能力情報は前記第１通信装置のメディア能力情報に一致しない、請求項９記載の通信装置。
【請求項１２】
前記プロセッサは更に、前記ローカル通信装置のメディア能力情報がビデオ通話周波数を有する場合、前記ローカル通信装置のメディア能力情報と前記第１通信装置のメディア能力情報とが同じオーディオ通話周波数を有するか、及び前記ローカル通信装置のメディア能力情報と前記第１通信装置のメディア能力情報とが同じビデオ通話周波数を有するか判断するよう構成され、前記ローカル通信装置のメディア能力情報と前記第１通信装置のメディア能力情報とが同じオーディオ通話周波数を有し、前記ローカル通信装置のメディア能力情報と前記第１通信装置のメディア能力情報とが同じビデオ通話周波数を有する場合、前記ローカル通信装置のメディア能力情報は前記第１通信装置のメディア能力情報に一致し、前記ローカル通信装置のメディア能力情報と前記第１通信装置のメディア能力情報とが同じオーディオ通話周波数を有し、前記ローカル通信装置のメディア能力情報と前記第１通信装置のメディア能力情報とが同じビデオ通話周波数を有さない場合、前記ローカル通信装置のメディア能力情報は前記第１通信装置のメディア能力情報に一致しない、請求項１１記載の通信装置。
【手続補正２】
【補正対象書類名】明細書
【補正対象項目名】００２３
【補正方法】変更
【補正の内容】
【００２３】
図１は、本発明の実施例によるビデオデータ送信方法のフローチャートである。図１を参照して、本方法は、具体的には以下を含む。
【手続補正３】
【補正対象書類名】明細書
【補正対象項目名】００２６
【補正方法】変更
【補正の内容】
【００２６】
第１通信装置のメディア能力情報は、少なくともオーディオ通話周波数を含む。さらに、第１通信装置のメディア能力情報は、オーディオ通話周波数とビデオ通話周波数とを含むものであってもよい。
【手続補正４】
【補正対象書類名】明細書
【補正対象項目名】００３９
【補正方法】変更
【補正の内容】
【００３９】
任意的には、図１に示される実施例の技術的手段に基づき、
“第２通信装置のメディア能力情報が第１通信装置のメディア能力情報に一致せず、第２通信装置のメディア能力情報と第１通信装置のメディア能力情報とが同じオーディオ通話周波数を有するとき、セッション記述プロトコル（ＳＤＰ）応答メッセージを構成し、ここで、ＳＤＰ応答メッセージのビデオサポートフィールドのコンテンツがエンプティであり、ＳＤＰ応答メッセージのオーディオサポートフィールドは同じオーディオ通話周波数である”
ステップ１０３が、具体的には、ステップＡ１及びステップＡ２を含む。
【手続補正５】
【補正対象書類名】明細書
【補正対象項目名】００４９
【補正方法】変更
【補正の内容】
【００４９】
具体的には、第１通信装置のメディア能力情報は少なくともオーディオ通話周波数を有し、さらに、メディア能力情報はオーディオ通話周波数とビデオ通話周波数とを有し、第２通信装置のメディア能力情報と第１通信装置のメディア能力情報とが同じオーディオ通話周波数を有し、第２通信装置のメディア能力情報と第１通信装置のメディア能力情報とが同じビデオ通話周波数を有するとき、第２通信装置のメディア能力情報は第１通信装置のメディア能力情報に一致し、第１通信装置のメディア能力情報がビデオ通話周波数を有さないとき、第２通信装置のメディア能力情報は、第１通信装置のメディア能力情報に明確には一致せず、従って、第１通信装置のメディア能力情報はビデオ通話周波数を有するとまず判断される。
【手続補正６】
【補正対象書類名】明細書
【補正対象項目名】００６６
【補正方法】変更
【補正の内容】
【００６６】
任意的には、第１通信装置によって第２通信装置に送信されるビデオ通話リクエストに含まれるメディア能力情報は、オーディオ通話周波数の一部とビデオ通話周波数の一部とを有し、すなわち、ビデオ通話リクエストは（ａ１，ｖ１）を含むか、（ａ１，ｖ２）を含むか、（ａ２，ｖ１）を含むか、あるいは、（ａ２，ｖ２）を含む。
【手続補正７】
【補正対象書類名】明細書
【補正対象項目名】００７６
【補正方法】変更
【補正の内容】
【００７６】
具体的には、第１通信装置が第２通信装置によって送信された１８０Ｒｉｎｇを受信すると、第１通信装置のユーザは第２通信装置のリングトーンを聴取することができ、このとき、第１通信装置と第２通信装置との間のビデオ通話の確立が完了する。
【手続補正８】
【補正対象書類名】明細書
【補正対象項目名】０１３２
【補正方法】変更
【補正の内容】
【０１３２】
マッチング判断ユニットは更に、ローカル通信装置のメディア能力情報と第１通信装置のメディア能力情報とが同じオーディオ通話周波数を有し、ローカル通信装置のメディア能力情報と第１通信装置のメディア能力情報とが同じビデオ通話周波数を有する場合、ローカル通信装置のメディア能力情報は第１通信装置のメディア能力情報に一致すると判断するよう構成される。
【手続補正９】
【補正対象書類名】明細書
【補正対象項目名】０１３７
【補正方法】変更
【補正の内容】
【０１３７】
図７は、本発明の実施例による通信装置の概略的な構成図である。図７を参照して、通信装置は、受信機７１、送信機７３及びプロセッサ７２を有し、受信機７１はプロセッサ７２に接続され、プロセッサ７２は送信機７３に接続される。
【手続補正１０】
【補正対象書類名】明細書
【補正対象項目名】０１４５
【補正方法】変更
【補正の内容】
【０１４５】
任意的には、プロセッサ７２は更に、ローカル通信装置のメディア能力情報がビデオ通話周波数を有する場合、ローカル通信装置のメディア能力情報と第１通信装置のメディア能力情報とが同じオーディオ通話周波数を有するか、及びローカル通信装置のメディア能力情報と第１通信装置のメディア能力情報とが同じビデオ通話周波数を有するか判断するよう構成され、ここで、ローカル通信装置のメディア能力情報と第１通信装置のメディア能力情報とが同じオーディオ通話周波数を有し、ローカル通信装置のメディア能力情報と第１通信装置のメディア能力情報とが同じビデオ通話周波数を有する場合、ローカル通信装置のメディア能力情報は第１通信装置のメディア能力情報に一致し、ローカル通信装置のメディア能力情報と第１通信装置のメディア能力情報とが同じオーディオ通話周波数を有し、ローカル通信装置のメディア能力情報と第１通信装置のメディア能力情報とが同じビデオ通話周波数を有さない場合、ローカル通信装置のメディア能力情報は第１通信装置のメディア能力情報に一致しない。
【国際調査報告】
2015534309.tif 000014
2015534309.tif 000015
2015534309.tif 000016
2015534309.tif 000017